(57)【特許請求の範囲】
【請求項１】
マトリクス状に配列された複数のデータ配線及び複数の走査配線と、前記複数のデータ配線と前記複数の走査配線との各交差部に対応して設けられたスイッチング素子及び前記スイッチング素子に接続された画素電極を有する画素を備えたアクティブマトリクス基板であって、
前記複数のデータ配線または前記複数の走査配線に対し、外部からの信号を入力する複数の端子と、
前記複数のデータ配線及び前記複数の走査配線のマトリクス状に配列されたマトリクス領域と前記複数の端子が設置された端子領域との間で、前記マトリクス領域から前記端子領域に向かう方向で配線ピッチが小さくなるように設定された配線領域に配線された複数の信号線を備え、
前記複数の各信号線では、一方の端部側が前記データ配線または前記走査配線を駆動するように接続されるとともに、他方の端部側が前記端子に接続され、
前記複数の各信号線は、前記マトリクス領域側及び前記端子領域側にそれぞれ設けられた第１及び第２の配線部と、前記第１及び第２の配線部を接続する接続部を有し、
前記複数の信号線では、隣接する２本の一方の信号線の前記第１及び第２の配線部が互いに異なる第１及び第２の導電層によりそれぞれ構成され、かつ、他方の信号線の前記第１及び第２の配線部が前記第２及び第１の導電層により構成され、
前記複数の各信号線では、その信号線の前記配線領域での配線位置に応じて、当該信号線の前記接続部の位置が定められ、
前記複数の信号線は、前記配線領域において、当該配線領域での配線長が順次短くなる第１、第２、及び第３の配線群のいずれかの配線群に属するように配線され、
前記第１の配線群では、複数の前記接続部が前記マトリクス領域の一辺と平行となるように配置され、
前記第２の配線群では、複数の前記接続部が前記マトリクス領域に徐々に近づくように当該マトリクス領域の一辺に対して所定の角度で配置され、
前記第３の配線群では、複数の前記接続部が前記マトリクス領域に徐々に離れるように当該マトリクス領域の一辺に対して所定の角度で配置されている、
ことを特徴とするアクティブマトリクス基板。
【請求項２】
前記複数の各信号線では、前記第１及び第２の配線部の長さが互いに等しくなるように、前記接続部の位置が定められている請求項１に記載のアクティブマトリクス基板。
【請求項３】
前記第１の配線群において、前記マトリクス領域側の端部での配置間隔をＰａとし、前記接続部の配置間隔をＰａｉとし、
前記第２の配線群において、前記マトリクス領域側の端部での配置間隔をＰｂとし、前記接続部の配置間隔をＰｂｉとし、かつ、
前記第３の配線群において、前記マトリクス領域側の端部での配置間隔をＰｃとし、前記接続部の配置間隔をＰｃｉとした場合に、下記（１）式〜（４）式
Ｐａ  ＝  Ｐａｉ                          ―――（１）
Ｐｂ  ＞  Ｐｂｉ                          ―――（２）
Ｐｃ  ＞  Ｐｃｉ                          ―――（３）
Ｐａ  ＝  Ｐｂ  ＝  Ｐｃ                  ―――（４）
を満足している請求項１または２に記載のアクティブマトリクス基板。
【請求項４】
前記第１の配線群において、前記マトリクス領域の一辺に対する前記第１の配線部の角度をθａ１とし、前記マトリクス領域の一辺に対する前記第２の配線部の角度をθａ２とし、
前記第２の配線群において、前記マトリクス領域の一辺に対する前記第１の配線部の角度をθｂ１とし、前記マトリクス領域の一辺に対する前記第２の配線部の角度をθｂ２とし、かつ、
前記第３の配線群において、前記マトリクス領域の一辺に対する前記第１の配線部の角度をθｃ１とし、前記マトリクス領域の一辺に対する前記第２の配線部の角度をθｃ２とした場合に、下記（５）式及び（６）式
θａ１  ＝  θｂ１  ＝  θｃ１  ＝θａ２  ＝θｂ２―――（５）
θｃ２  ＝  ９０°                                ―――（６）
を満足している請求項３に記載のアクティブマトリクス基板。
【請求項５】
前記第１の配線群と前記第２の配線群との境界において、前記マトリクス領域側の端部での配置間隔をＰａｂとし、かつ、
前記第２の配線群と前記第３の配線群との境界において、前記マトリクス領域側の端部での配置間隔をＰｂｃとした場合に、下記（７）式
Ｐａ  ＝  Ｐａｂ  ＝  Ｐｂ  ＝  Ｐｂｃ  ＝  Ｐｃ―――（７）
を満足している請求項４に記載のアクティブマトリクス基板。
【請求項６】
前記第１の配線群と前記第２の配線群との境界において、前記接続部の配置間隔をＰａｂｉとした場合に、下記（８）式
Ｐａｉ  ≠  Ｐａｂｉ  ≠  Ｐｂｉ                  ―――（８）
を満足している請求項３〜５のいずれか１項に記載のアクティブマトリクス基板。
【請求項７】
前記第２の配線群と前記第３の配線群との境界において、前記接続部の配置間隔をＰｂｃｉとした場合に、下記（９）式
Ｐｂｉ  ≠  Ｐｂｃｉ  ≠  Ｐｃｉ                  ―――（９）
を満足している請求項３〜６のいずれか１項に記載のアクティブマトリクス基板。
【請求項８】
前記複数の各信号線では、前記第１及び第２の導電層の一方の導電層により構成された外側配線が前記第２の配線部と前記端子との間に設けられるとともに、
前記第２の配線部が前記第１及び第２の導電層の他方の導電層により構成されている場合には、当該第２の配線部と前記外側配線とは外側接続部を介して接続され、
複数の前記外側接続部は、前記マトリクス領域の一辺と平行になるように配置されている請求項１〜７のいずれか１項に記載のアクティブマトリクス基板。
【請求項９】
前記第３の配線群において、前記接続部の配置間隔をＰｃｉとし、前記端子の配置間隔をＰｉｃとした場合に、下記（１０）式
Ｐｃｉ  ＝  Ｐｉｃ                          ―――（１０）
を満足している請求項８に記載のアクティブマトリクス基板。
【請求項１０】
前記複数の各信号線は、前記データ配線に接続されるビデオ信号線である請求項１〜９のいずれか１項に記載のアクティブマトリクス基板。
【請求項１１】
前記第１の配線部が、前記データ配線及び前記走査配線の一方と同じ導電層により構成され、
前記第２の配線部が、前記データ配線及び前記走査配線の他方と同じ導電層により構成されている請求項１〜１０のいずれか１項に記載のアクティブマトリクス基板。
【請求項１２】
請求項１〜１１のいずれか１項に記載のアクティブマトリクス基板を用いたことを特徴とする表示装置。
【発明の詳細な説明】
【技術分野】
【０００１】
本発明は、複数のデータ配線及び複数の走査配線をマトリクス状に設けたアクティブマトリクス基板、及びこれを用いた表示装置に関する。
【背景技術】
【０００２】
近年、例えば液晶表示装置は、在来のブラウン管に比べて薄型、軽量などの特長を有するフラットパネルディスプレイ（表示セル）として、液晶テレビ、モニター、携帯電話、デジタルカメラ、情報端末などの電気機器に幅広く利用されている。このような液晶表示装置では、複数のデータ配線（ソース配線）及び複数のゲート配線（走査配線）をマトリクス状に配線するとともに、データ配線と走査配線との交差部の近傍に薄膜トランジスタ（ＴＦＴ：Thin Film Transistor）等のスイッチング素子と、このスイッチング素子に接続された画素電極を有する画素をマトリクス状に配置したアクティブマトリクス基板を、表示パネルとしての液晶パネルに用いたものが知られている。【０００３】
また、上記のような表示セルでは、高解像度化あるいは小型化の要求が高まっており、複数のデータ配線及び複数の走査配線がマトリクス状に配列されたマトリクス領域（すなわち、複数の画素をマトリクス状に配置した画素アレイ）の一辺から端子に向かって引き回されている多数本の配線を所定の領域に収めることが望まれている。すなわち、表示セルの周囲であって表示に関与しない額縁と呼ばれる部分の縮小が望まれている。【０００４】
また、アクティブマトリクス基板では、上述のような表示セルでの狭額縁化の要求に対応すべく、低温多結晶シリコンを基材としてモノリシック化された走査信号駆動回路（ゲートドライバ）を基板上に同時に形成することによって、上記端子が設けられた端子辺以外の額縁の縮小が実現されている。【０００５】
一方、データ配線に接続される、ビデオ信号線と呼ばれる配線に係る引き回しを収めている端子辺の額縁は、モノリシック化できる回路要素と比べて配線の数が非常に多く、その縮小が困難であった。それゆえ、従来のアクティブマトリクス基板では、おもにビデオ信号線の配線幅や配線ピッチおよび配線構造を工夫する提案がされてきた。【０００６】
具体的には、従来のアクティブマトリクス基板では、例えば下記特許文献１または特許文献２に記載されているように、互いに異なる２つの導電層、つまり下層金属膜と上層金属膜とをビデオ信号線に用いることにより、その配線をより小さいピッチにて引き回すことが提案されている。【０００７】
また、この従来のアクティブマトリクス基板では、上記マトリクス領域と、複数の上記端子が設置された端子領域との間で、当該マトリクス領域から端子領域に向かう方向で配線ピッチが小さくなるように設定された配線領域（つまり、扇状に絞り込まれるように引き回された配線領域）に対し、複数のビデオ信号線を配線することも示されている。そして、この従来のアクティブマトリクス基板では、マトリクス領域の一辺の寸法に比べて、端子領域の寸法を小さくすることにより、端子領域の端子に接続されるＦＰＣやデータドライバ（ドライバＩＣ）を小さくすることができ、これらＦＰＣやドライバＩＣの部材コストを安価にできるとされていた。
【先行技術文献】
【特許文献】
【０００８】
【特許文献１】特開平０５−１９２８２号公報
【特許文献２】特開平０５−１５０２６３号公報
【発明の概要】
【発明が解決しようとする課題】
【０００９】
しかしながら、上記のような従来のアクティブマトリクス基板では、隣接する２本のビデオ信号線（信号線）での抵抗の変化が大きくなるおそれがあった。この結果、この従来のアクティブマトリクス基板では、例えば液晶表示装置に用いた場合に、上記抵抗変化に起因する表示ムラが視認されるおそれがあった。【００１０】
具体的にいえば、この従来のアクティブマトリクス基板では、上記のように、配線ピッチが小さくなるように設定された配線領域に対して、ビデオ信号線を効率よく配線するために、隣接する２本のビデオ信号線の一方及び他方をそれぞれシート抵抗が異なる下層金属膜及び上層金属膜（第１及び第２の導電層）を用いて構成していた。このため、この従来のアクティブマトリクス基板では、各シート抵抗の大きさやビデオ信号線の長さ等の寸法によっては、隣接する２本のビデオ信号線での抵抗変化が大きくなることがあった。【００１１】
上記の課題を鑑み、本発明は、配線ピッチが小さくなるように配線された複数の信号線において、シート抵抗が異なる２つの導電層を用いた場合でも、隣接する２本の信号線での抵抗変化が小さいアクティブマトリクス基板、及びこれを用いた表示装置を提供することを目的とする。
【課題を解決するための手段】
【００１２】
上記の目的を達成するために、本発明にかかるアクティブマトリクス基板は、マトリクス状に配列された複数のデータ配線及び複数の走査配線と、前記複数のデータ配線と前記複数の走査配線との各交差部に対応して設けられたスイッチング素子及び前記スイッチング素子に接続された画素電極を有する画素を備えたアクティブマトリクス基板であって、
前記複数のデータ配線または前記複数の走査配線に対し、外部からの信号を入力する複数の端子と、
前記複数のデータ配線及び前記複数の走査配線のマトリクス状に配列されたマトリクス領域と前記複数の端子が設置された端子領域との間で、前記マトリクス領域から前記端子領域に向かう方向で配線ピッチが小さくなるように設定された配線領域に配線された複数の信号線を備え、
前記複数の各信号線では、一方の端部側が前記データ配線または前記走査配線を駆動するように接続されるとともに、他方の端部側が前記端子に接続され、
前記複数の各信号線は、前記マトリクス領域側及び前記端子領域側にそれぞれ設けられた第１及び第２の配線部と、前記第１及び第２の配線部を接続する接続部を有し、
前記複数の信号線では、隣接する２本の一方の信号線の前記第１及び第２の配線部が互いに異なる第１及び第２の導電層によりそれぞれ構成され、かつ、他方の信号線の前記第１及び第２の配線部が前記第２及び第１の導電層により構成され、
前記複数の各信号線では、その信号線の前記配線領域での配線位置に応じて、当該信号線の前記接続部の位置が定められていることを特徴とするものである。【００１３】
上記のように構成されたアクティブマトリクス基板では、複数の信号線が上記マトリクス領域と上記端子領域との間で、マトリクス領域から端子領域に向かう方向で配線ピッチが小さくなるように設定された配線領域に配線されている。また、複数の各信号線は、マトリクス領域側及び端子領域側にそれぞれ設けられた第１及び第２の配線部と、第１及び第２の配線部を接続する接続部を有している。また、複数の信号線では、隣接する２本の一方の信号線の第１及び第２の配線部が互いに異なる第１及び第２の導電層によりそれぞれ構成され、かつ、他方の信号線の第１及び第２の配線部が第２及び第１の導電層によりそれぞれ構成されている。さらに、複数の各信号線では、その信号線の配線領域での配線位置に応じて、当該信号線の前記接続部の位置が定められている。これにより、上記従来例と異なり、配線ピッチが小さくなるように配線された複数の信号線において、シート抵抗が異なる２つの導電層を用いた場合でも、隣接する２本の信号線での抵抗変化が小さいアクティブマトリクス基板を構成することができる。【００１４】
また、上記アクティブマトリクス基板において、前記複数の各信号線では、前記第１及び第２の配線部の長さが互いに等しくなるように、前記接続部の位置が定められていることが好ましい。【００１５】
この場合、複数の信号線において、隣接する２本の信号線での抵抗の差を最小化することができる。【００１６】
また、上記アクティブマトリクス基板において、前記複数の信号線は、前記配線領域において、当該配線領域での配線長が順次短くなる第１、第２、及び第３の配線群のいずれかの配線群に属するように配線され、
前記第１の配線群では、複数の前記接続部が前記マトリクス領域の一辺と平行となるように配置され、
前記第２の配線群では、複数の前記接続部が前記マトリクス領域に徐々に近づくように当該マトリクス領域の一辺に対して所定の角度で配置され、
前記第３の配線群では、複数の前記接続部が前記マトリクス領域に徐々に離れるように当該マトリクス領域の一辺に対して所定の角度で配置されてもよい。【００１７】
この場合、上記第１〜第３の各配線群において、第１及び第２の配線部の配線長が同じ位置となるように接続部を設けることができ、隣接する２本の信号線での抵抗の差を最小化することができる。【００１８】
また、上記アクティブマトリクス基板において、前記第１の配線群において、前記マトリクス領域側の端部での配置間隔をＰａとし、前記接続部の配置間隔をＰａｉとし、
前記第２の配線群において、前記マトリクス領域側の端部での配置間隔をＰｂとし、前記接続部の配置間隔をＰｂｉとし、かつ、
前記第３の配線群において、前記マトリクス領域側の端部での配置間隔をＰｃとし、前記接続部の配置間隔をＰｃｉとした場合に、下記（１）式〜（４）式
Ｐａ  ＝  Ｐａｉ                          ―――（１）
Ｐｂ  ＞  Ｐｂｉ                          ―――（２）
Ｐｃ  ＞  Ｐｃｉ                          ―――（３）
Ｐａ  ＝  Ｐｂ  ＝  Ｐｃ                  ―――（４）
を満足していることが好ましい。【００１９】
この場合、第１〜第３の配線群において、各信号線の上記マトリクス領域側からの引き出し方向を揃えることができ、各信号線が互いに平行となるように容易に配線することができる。【００２０】
また、上記アクティブマトリクス基板において、前記第１の配線群において、前記マトリクス領域の一辺に対する前記第１の配線部の角度をθａ１とし、前記マトリクス領域の一辺に対する前記第２の配線部の角度をθａ２とし、
前記第２の配線群において、前記マトリクス領域の一辺に対する前記第１の配線部の角度をθｂ１とし、前記マトリクス領域の一辺に対する前記第２の配線部の角度をθｂ２とし、かつ、
前記第３の配線群において、前記マトリクス領域の一辺に対する前記第１の配線部の角度をθｃ１とし、前記マトリクス領域の一辺に対する前記第２の配線部の角度をθｃ２とした場合に、下記（５）式及び（６）式
θａ１  ＝  θｂ１  ＝  θｃ１  ＝θａ２  ＝θｂ２―――（５）
θｃ２  ＝  ９０°                                ―――（６）
を満足していることが好ましい。【００２１】
この場合、第１〜第３の配線群において、各信号線を互いに平行に配線することができ、引き回しのレイアウトの効率を容易に改善することができる。【００２２】
また、上記アクティブマトリクス基板において、前記第１の配線群と前記第２の配線群との境界において、前記マトリクス領域側の端部での配置間隔をＰａｂとし、かつ、
前記第２の配線群と前記第３の配線群との境界において、前記マトリクス領域側の端部での配置間隔をＰｂｃとした場合に、下記（７）式
Ｐａ  ＝  Ｐａｂ  ＝  Ｐｂ  ＝  Ｐｂｃ  ＝  Ｐｃ―――（７）
を満足していることが好ましい。【００２３】
この場合、第１及び第２の配線群の境界と第２及び第３の配線群の境界とにおいて、不要な空きスペースが生じるのを防ぐことができる。【００２４】
また、上記アクティブマトリクス基板において、前記第１の配線群と前記第２の配線群との境界において、前記接続部の配置間隔をＰａｂｉとした場合に、下記（８）式
Ｐａｉ  ≠  Ｐａｂｉ  ≠  Ｐｂｉ                  ―――（８）
を満足していることが好ましい。【００２５】
この場合、第１及び第２の各配線群において、接続部の位置調整を互いに独立して行うことができ、信号線の引き回しの自由度を確保することができる。【００２６】
また、上記アクティブマトリクス基板において、前記第２の配線群と前記第３の配線群との境界において、前記接続部の配置間隔をＰｂｃｉとした場合に、下記（９）式
Ｐｂｉ  ≠  Ｐｂｃｉ  ≠  Ｐｃｉ                  ―――（９）
を満足していることが好ましい。【００２７】
この場合、第２及び第３の各配線群において、接続部の位置調整を互いに独立して行うことができ、信号線の引き回しの自由度を確保することができる。【００２８】
また、上記アクティブマトリクス基板において、前記複数の各信号線では、前記第１及び第２の導電層の一方の導電層により構成された外側配線が前記第２の配線部と前記端子との間に設けられるとともに、
前記第２の配線部が前記第１及び第２の導電層の他方の導電層により構成されている場合には、当該第２の配線部と前記外側配線とは外側接続部を介して接続され、
複数の前記外側接続部は、前記マトリクス領域の一辺と平行になるように配置されてもよい。【００２９】
この場合、複数の外側接続部が直線上に配列されているので、これら複数の外側接続部上に、例えばシール材を設ける場合でも、容易にシール材を設けることができる。【００３０】
また、上記アクティブマトリクス基板において、前記端子の配置間隔をＰｉｃとした場合に、下記（１０）式
Ｐｃｉ  ＝  Ｐｉｃ                          ―――（１０）
を満足していることが好ましい。【００３１】
この場合、第１〜第３の配線群において、上記外側配線が設けられている場合でも、各信号線の上記マトリクス領域側からの引き出し方向を揃えることができ、各信号線が互いに平行となるように容易に配線することができる。したがって、シール材の外部に曝することが好ましくない薄膜材料を、上記第１及び第２の導電層として使うことができる。【００３２】
また、上記アクティブマトリクス基板において、前記複数の各信号線は、前記データ配線に接続されるビデオ信号線であってもよい。【００３３】
この場合、上記ビデオ信号線に接続されるデータドライバの小型化及びそのアクティブマトリク基板を用いた表示装置の低消費電力化を容易に図ることができる。【００３４】
また、上記アクティブマトリクス基板において、前記第１の配線部が、前記データ配線及び前記走査配線の一方と同じ導電層により構成され、
前記第２の配線部が、前記データ配線及び前記走査配線の他方と同じ導電層により構成されていることが好ましい。【００３５】
この場合、アクティブマトリクス基板の製造工程が増加するのを防ぐことができる。【００３６】
また、本発明の表示装置は、上記いずれかのアクティブマトリクス基板を用いたことを特徴とするものである。【００３７】
上記のように構成された表示装置では、配線ピッチが小さくなるように配線された複数の信号線において、シート抵抗が異なる２つの導電層を用いた場合でも、隣接する２本の信号線での抵抗変化が小さいアクティブマトリクス基板が用いられているので、優れた表示品位を有するコンパクトな表示装置を容易に構成することができる。
【発明の効果】
【００３８】
本発明によれば、配線ピッチが小さくなるように配線された複数の信号線において、シート抵抗が異なる２つの導電層を用いた場合でも、隣接する２本の信号線での抵抗変化が小さいアクティブマトリクス基板、及びこれを用いた表示装置を提供することが可能となる。
【図面の簡単な説明】
【００３９】
【図１】図１は、本発明の第１の実施形態にかかるアクティブマトリクス基板を用いた液晶表示装置を示す斜視図である。
【図２】図２は、上記液晶表示装置の要部を説明する図である。
【図３】図３は、図２に示した薄膜トランジスタを説明する拡大断面図である。
【図４】図４は、図１に示したアクティブマトリクス基板の要部構成を説明する図である。
【図５】図５は、図４に示したビデオ信号線の構成を説明する図である。
【図６】図６は、上記アクティブマトリクス基板の具体的な要部構成を示す拡大平面図である。
【図７】図７は、隣接する２本の一方のビデオ信号線を説明する断面図である。
【図８】図８は、隣接する２本の他方のビデオ信号線を説明する断面図である。
【図９】図９は、図６に示した第１の配線群でのビデオ信号線を説明する図である。
【図１０】図１０（ａ）は、図９のＸａ−Ｘａ線断面図であり、図１０（ｂ）は、図９のＸｂ−Ｘｂ線断面図であり、図１０（ｃ）は、図９のＸｃ−Ｘｃ線断面図である。
【図１１】図１１は、図６に示した第２の配線群でのビデオ信号線を説明する図である。
【図１２】図１２（ａ）は、図１１のＸＩＩａ−ＸＩＩａ線断面図であり、図１２（ｂ）は、図１１のＸＩＩｂ−ＸＩＩｂ線断面図であり、図１２（ｃ）は、図１１のＸＩＩｃ−ＸＩＩｃ線断面図である。
【図１３】図１３は、図６に示した第３の配線群でのビデオ信号線を説明する図である。
【図１４】図１４（ａ）は、図１３のＸＩＶａ−ＸＩＶａ線断面図であり、図１４（ｂ）は、図１３のＸＩＶｂ−ＸＩＶｂ線断面図であり、図１４（ｃ）は、図１３のＸＩＶｃ−ＸＩＶｃ線断面図である。
【図１５】図１５は、図６に示した第４の配線群でのビデオ信号線を説明する図である。
【図１６】図１６（ａ）は、図１５のＸＶＩａ−ＸＶＩａ線断面図であり、図１６（ｂ）は、図１５のＸＶＩｂ−ＸＶＩｂ線断面図であり、図１６（ｃ）は、図１５のＸＶＩｃ−ＸＶＩｃ線断面図である。
【図１７】図１７は、図６に示した第５の配線群でのビデオ信号線を説明する図である。
【図１８】図１８（ａ）は、図１７のＸＶＩＩＩａ−ＸＶＩＩＩａ線断面図であり、図１８（ｂ）は、図１７のＸＶＩＩＩｂ−ＸＶＩＩＩｂ線断面図であり、図１８（ｃ）は、図１７のＸＶＩＩＩｃ−ＸＶＩＩＩｃ線断面図である。
【図１９】図１９は、上記アクティブマトリクス基板でのビデオ信号線の並びと配線構造を説明するための平面図である。
【図２０】図２０は、上記アクティブマトリクス基板でのビデオ信号線の並びと配線構造の変形例１を説明するための平面図である。
【図２１】図２１は、上記アクティブマトリクス基板でのビデオ信号線の並びと配線構造の変形例２を説明するための平面図である。
【図２２】図２２は、上記アクティブマトリクス基板でのビデオ信号線の並びと配線構造の変形例３を説明するための平面図である。
【図２３】図２３は、上記アクティブマトリクス基板でのビデオ信号線の並びと配線構造の変形例４を説明するための平面図である。
【発明を実施するための形態】
【００４０】
以下、本発明のアクティブマトリクス基板、及び表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００４１】
［第１の実施形態］
（液晶表示装置の構成例）
図１は、本発明の第１の実施形態にかかるアクティブマトリクス基板を用いた液晶表示装置を示す斜視図である。図において、本実施形態の液晶表示装置１は、本発明のアクティブマトリクス基板（ＴＦＴ基板）２と、後述のシール材を介してアクティブマトリクス基板２に向かい合うように貼り合わされた対向基板（カラーフィルタ基板）３とを備えている。また、液晶表示装置１では、上記シール材が枠状に設けられており、このシール材の内側に液晶材が保持されて液晶層１８（後掲の図７または図８参照）が構成されている。
【００４２】
また、液晶表示装置１では、後に詳述するように、複数のデータ配線（ソース配線）及び複数の走査配線（ゲート配線）がマトリクス状に配列されたマトリクス領域Ｈが設けられており、このマトリクス領域Ｈは、液晶表示装置１の有効表示領域として機能するようになっている。
【００４３】
また、液晶表示装置１では、上記データ配線を駆動するように接続されるとともに、後述のビデオ信号線を含んだ配線ＤＨがマトリクス領域Ｈから引き出されて、アクティブマトリクス基板２の基材上に形成されている。また、このアクティブマトリクス基板２の基材上には、複数の端子Ｔが設けられており、図１に示すように、ドライバＩＣ１００により構成された後述のデータドライバが複数の端子Ｔに接続されるようになっている。
【００４４】
ここで、図２及び図３を参照して、本実施形態の液晶表示装置１の要部について、具体的に説明する。
【００４５】
図２は、上記液晶表示装置の要部を説明する図である。図３は、図２に示した薄膜トランジスタを説明する拡大断面図である。
【００４６】
図２において、液晶表示装置１には、文字や画像等の情報を表示する表示部（液晶パネル）の駆動制御を行うパネル制御部４と、このパネル制御部４からの指示信号を基に動作するデータドライバ（ソースドライバ）５及びゲートドライバ６が設けられている。
【００４７】
パネル制御部４は、液晶表示装置１の外部からの映像信号が入力されるようになっている。また、パネル制御部４は、入力された映像信号に対して所定の画像処理を行ってデータドライバ５及びゲートドライバ６への各指示信号を生成する画像処理部４ａと、入力された映像信号に含まれた１フレーム分の表示データを記憶可能なフレームバッファ４ｂとを備えている。そして、パネル制御部４が、入力された映像信号に応じて、データドライバ５及びゲートドライバ６の駆動制御を行うことにより、その映像信号に応じた情報が上記表示部に表示される。
【００４８】
また、データドライバ５は、上述したように、外付けのドライバＩＣ１００によって構成されている。一方、ゲートドライバ６は、後に詳述するように、左右の２つの部材に分けられて、アクティブマトリクス基板２の基材上に、例えば多結晶シリコンをベースとしてモノリシックに形成されている。
【００４９】
また、データドライバ５及びゲートドライバ６は、上記液晶パネル側に設けられた複数の画素Ｐを画素単位に駆動する駆動回路であり、それぞれ列制御回路及び行制御回路として機能するようになっている。つまり、データドライバ５及びゲートドライバ６には、複数のデータ配線（列制御線）Ｄ１〜ＤＭ（Ｍは、２以上の整数、以下、"Ｄ"にて総称する。）及び複数のゲート配線（行制御線）Ｇ１〜ＧＮ（Ｎは、２以上の整数、以下、"Ｇ"にて総称する。）がそれぞれ接続されている。これらのデータ配線Ｄ及びゲート配線Ｇは、アクティブマトリクス基板２に含まれた透明なガラス材あるいは透明な合成樹脂製の上記基材上で互いに交差するように、マトリクス状に配列されている。すなわち、データ配線Ｄは、マトリクス状の列方向（液晶パネルの縦方向）に平行となるように上記基材上に設けられ、ゲート配線Ｇは、マトリクス状の行方向（液晶パネルの横方向）に平行となるように上記基材上に設けられている。
【００５０】
また、これらのデータ配線Ｄと、ゲート配線Ｇとの交差部の近傍には、スイッチング素子としての薄膜トランジスタ７と、薄膜トランジスタ７に接続された画素電極８を有する上記画素Ｐが設けられている。また、各画素Ｐでは、対向電極９が上記液晶層を間に挟んだ状態で画素電極８に対向するよう構成されている。すなわち、アクティブマトリクス基板２では、薄膜トランジスタ７及び画素電極８が画素単位に設けられている。さらに、マトリクス領域Ｈでは、複数の画素Ｐがマトリクス状に設けられており、画素アレイが構成されている。
【００５１】
また、薄膜トランジスタ７には、例えばトップゲート電極タイプのものが用いられている。具体的には、図３に示すように、薄膜トランジスタ７は、下地膜１０上に形成された半導体層７ｈと、この半導体層７ｈの上方に設けられたゲート電極７ｇと、半導体層７ｈに接続されたソース電極７ｓとドレイン電極７ｄを備えている。下地膜１０は、アクティブマトリクス基板２の上記基材２ａの表面を覆うように設けられている。
【００５２】
また、アクティブマトリクス基板２では、ゲート絶縁膜１１が半導体層７ｈ及び下地膜１０を覆うように設けられており、このゲート絶縁膜１１上には、ゲート配線Ｇと一体的に構成されたゲート電極７ｇが設けられている。また、層間膜１２が、ゲート電極７ｇ及びゲート絶縁膜１１を覆うように設けられており、この層間膜１２上には、ソース電極７ｓとドレイン電極７ｄが設けられている。また、保護膜１３が、ソース電極７ｓ、ドレイン電極７ｄ、及び層間膜１２を覆うように設けられ、この保護膜１３上には、画素電極８が設けられている。
【００５３】
ゲート電極７ｇ及びゲート配線Ｇは、後述の第１の導電層（下層金属膜）により構成されている。また、ソース電極７ｓは、データ配線Ｄと一体的に構成されている。また、ドレイン電極７ｄは、図示しないコンタクトホールを介して画素電極８に接続されている。ソース電極７ｓ、データ配線Ｄ、及びドレイン電極７ｄは、後述の第２の導電層（上層金属膜）により構成されている。
【００５４】
図２に戻って、アクティブマトリクス基板２では、データ配線Ｄと、ゲート配線Ｇとによってマトリクス状に区画された各領域に、複数の各画素Ｐの領域が形成されている。これら複数の画素Ｐには、赤色（Ｒ）、緑色（Ｇ）、及び青色（Ｂ）の画素が含まれている。また、これらのＲＧＢの画素は、例えばこの順番で、各ゲート配線Ｇ１〜ＧＮに平行に順次配設されている。さらに、これらのＲＧＢの画素は、対向基板３側に設けられたカラーフィルタ層により、対応する色の表示を行えるようになっている。
【００５５】
また、アクティブマトリクス基板２では、ゲートドライバ６は、画像処理部４ａからの指示信号に基づいて、ゲート配線Ｇ１〜ＧＮに対して、対応する薄膜トランジスタ７のゲート電極７ｇをオン状態にする走査信号（ゲート信号）を順次出力する。また、データドライバ５は、画像処理部４ａからの指示信号に基づいて、表示画像の輝度（階調）に応じたデータ信号（電圧信号（階調電圧））を対応するデータ配線Ｄ１〜ＤＭに出力する。
【００５６】
（アクティブマトリクス基板の要部構成）
次に、図４を参照して、本実施形態のアクティブマトリクス基板２の要部構成に具体的に説明する。
【００５７】
図４は、図１に示したアクティブマトリクス基板の要部構成を説明する図である。
【００５８】
本実施形態のアクティブマトリクス基板２では、図４に示すように、上記ドライバＩＣ１００（図１）が設置される端部において、マトリクス領域（有効表示領域）Ｈ、列制御回路領域Ｄａ、ビデオ信号線領域Ｓａ、及び端子領域Ｔａが順次設けられている。
【００５９】
マトリクス領域Ｈでは、上述したように、複数のゲート配線（行制御線）Ｇが当該マトリクス領域Ｈの内部に構成された上記画素アレイを横断するように形成され、複数のデータ配線（列制御線）Ｄが画素アレイを縦断するように形成されている。また、この画素アレイでは、図２に示したように、薄膜トランジスタ７を備えた画素Ｐがマトリクス状に設けられており、薄膜トランジスタ７を用いて各画素Ｐに所定の電圧が印加される。
【００６０】
また、図４に示すように、マトリクス領域Ｈの左右辺、つまり液晶表示装置１の左右の額縁部分であって、シール材Ｓの直下を含んだアクティブマトリクス基板２の領域には、２つに分けられたゲートドライバ（行制御回路）６ａ及び６ｂがモノリシックに形成されている。また、これらのゲートドライバ６ａ及び６ｂには、それぞれバッファ回路や保護回路などの付属回路６ａ１及び６ｂ１が隣接して設けられている。
【００６１】
列制御回路領域Ｄａには、データ配線Ｄが接続されたＲＧＢスイッチ回路１４と、このＲＧＢスイッチ回路１４に接続配線１６を介して接続された検査及び保護回路１５が設けられている。この検査及び保護回路１５は、信号線としてのビデオ信号線１７を介してデータドライバ５（図２）に接続されるようになっている。また、これらのＲＧＢスイッチ回路１４と、検査及び保護回路１５とは、データドライバ５とともに、列制御回路を構成している。
【００６２】
ＲＧＢスイッチ回路１４は、１本のビデオ信号線１７から与えられる信号を、ＲＧＢ１組すなわち３本のデータ配線Ｄに振り分ける機能を担う。このような構成により、ビデオ信号線１７を減らすことができ、典型的には３ｘｎ個の列数の画素Ｐをｎ本のビデオ信号線で駆動することができる。このようなＲＧＢスイッチ回路１４は、比較的簡単な構成の回路で実現できることから、近年好んで用いられている。
【００６３】
検査及び保護回路１５は、検査回路と保護回路を一体的に構成したものである。検査回路は、ドライバＩＣ１００を積載しない状態の上記液晶パネルを簡単な入力信号により簡易的に点灯表示させて良品検査を行えるようにするための回路である。
【００６４】
保護回路は、静電気による上記列制御回路や画素Ｐの破壊を抑制するための回路であり、保護トランジスタやコンデンサ、抵抗材、ダイオードなどで構成される。
【００６５】
ここで、検査回路や保護回路は、画素アレイの領域幅と同一である必要は必ずしもない。例えば検査回路や保護回路の紙面水平方向の寸法をＲＧＢスイッチ回路１４と比べてやや縮小させてもよい。この場合は、図４に示すように、斜めに引き回されている接続配線１６を経由させてＲＧＢスイッチ回路１４と検査回路や保護回路とを接続させる。このようにすることによって検査回路や保護回路とゲートドライバ６ａ及び６ｂとの間に空き領域を作り出すことができ、この領域を利用してＲＧＢスイッチ回路１４の駆動に必要な配線を通すことができる。この結果、液晶表示装置１の左右額縁を縮小させることができる利点を奏する。
【００６６】
また、本実施形態のアクティブマトリクス基板２では、列制御回路領域Ｄａに、ＲＧＢスイッチ回路１４と検査及び保護回路１５が配置されている。しかしながら、本実施形態のアクティブマトリクス基板２は、これに限定されるものではなく、例えばマトリクス領域Ｈのデータ配線Ｄにビデオ信号線１７を直接的に接続して、ＲＧＢスイッチ回路１４と検査及び保護回路１５を含む列制御回路領域Ｄａの設置を省略した構成でもよい。また、ＲＧＢスイッチ回路１４、検査回路、及び保護回路の少なくとも一つの回路を設置した列制御回路領域Ｄａを設ける構成でもよい。いずれの構成においても、ビデオ信号線１７は、端子領域Ｔａに設置された端子Ｔ（図１）に向かって扇状に絞られて引き回される。
【００６７】
ビデオ信号線領域Ｓａでは、マトリクス領域Ｈのセンター（図４に“Ｙ軸Ｏ”にて図示）を境界として、図４の紙面左半分の領域において、ビデオ信号線１７の配線長の長い側から平面視して、第１の配線群Ａ、第２の配線群Ｂ、第３の配線群Ｃ、第４の配線群Ｄ、及び第５の配線群Ｅが設けられている。
【００６８】
また、図４の紙面右側半分の領域には、ビデオ信号線１７の配線長が短い側から平面視して、第６の配線群Ｅｙ、第７の配線群Ｄｙ、第８の配線群Ｃｙ、第９の配線群Ｂｙ、及び第１０の配線群Ａｙが設けられている。つまり、ビデオ信号線領域Ｓａでは、ビデオ信号線１７は、第１〜第１０の配線群のいずれかの配線群に属するように配線されている。
【００６９】
ここで、第１及び第１０の配線群Ａ及びＡｙは、互いに図４の紙面に対してＹ軸Ｏと対称な位置関係にある配線群であることを意味している。また、第２及び第９の配線群Ｂ及びＢｙ、第３及び第８の配線群Ｃ及びＣｙ、第４及び第７の配線群Ｄ及びＤｙ、及び第５及び第６の配線群Ｅ及びＥｙにおいても、各々同様にＹ軸Ｏと対称な位置関係にある。
【００７０】
（ビデオ信号線の基本構成）
次に、図５を参照して、ビデオ信号線１７の基本構成について具体的に説明する。
【００７１】
図５は、図４に示したビデオ信号線の構成を説明する図である。
【００７２】
図５に示すように、本実施形態のアクティブマトリクス基板２では、ビデオ信号線領域Ｓａはシール材Ｓを境界として列制御回路領域Ｄａ側の内側配線領域Ｉａと端子領域Ｔａ側の外側配線領域Ｏａとに区分されている。また、内側配線領域Ｉａには、検査及び保護回路１５に接続された第１の配線部１７ａと、接続部としての内側接続部１７ｃのコンタクトホールＨ１によって第１の配線部１７ａに接続された第２の配線部１７ｂが設けられている。また、内側配線領域Ｉａと外側配線領域Ｏａとの境界部分には、外側接続部１７ｄまたはダミーの外側接続部１７ｄｄが設けられている。また、外側配線領域Ｏａには、外側配線１７ｅが設けられており、この外側配線１７ｅは、外側接続部１７ｄのコンタクトホールＨ２によって第２の配線部１７ｂに接続されている。また、ダミーの外側接続部１７ｄｄでは、第２の配線部１７ｂが外側配線１７ｅとして延設されている（詳細は後述。）。
【００７３】
また、内側配線領域Ｉａは、シール材Ｓの内側に位置していることから、配線（つまり、第１及び第２の配線部１７ａ及び１７ｂ）の腐食や傷を防ぐことが容易となる。したがって、その内側配線領域Ｉａの配線材料として、例えば腐食のし易さに左右されずに任意の金属膜を用いることができる。例えば異なる下層金属膜及び上層金属膜（上記第１及び第２の導電層）のいずれかで形成した配線を第１及び第２の各配線部１７ａ及び１７ｂとすることができる。これらの第１及び第２の導電層は、図３に示したように、層間膜１２を介して直接接触しないようになっており、これにより、第１及び第２の各配線部１７ａ及び１７ｂは、狭い配置間隔で配線を配列させることができる。
【００７４】
また、外側配線領域Ｏａは、シール材Ｓの外側に位置するため腐食や傷による断線が起こり易い。それ故、本実施形態のアクティブマトリクス基板２では、外側配線領域Ｏａの外側配線１７ｅとして、層間膜１２で覆われた第１の導電層（下層金属膜）が用いられている。
【００７５】
また、本実施形態のアクティブマトリクス基板２では、後に詳述するように、内側配線領域Ｉａの第１及び第２の配線部１７ａ及び１７ｂにおいて、その配線方向（紙面上下方向）の材料および並び方向（紙面水平方向）の材料を互いに入れ替えて繰り返された配線の配列としている。
【００７６】
ここで、ある任意のビデオ信号線１７において、その内側配線領域Ｉａの配線長を等分する位置に内側接続部１７ｃを設けた場合は、第１の導電層と第２の導電層とでシート抵抗が異なっていても、隣り合う第１及び第２の配線部１７ａ及び１７ｂ同士の配線抵抗を同一とすることができる。また、配線長が徐々に長く（短く）なるようなビデオ信号線１７の配列であっても、内側配線領域Ｉａの隣り合う第１及び第２の配線部１７ａ及び１７ｂの抵抗が大きく変化することを避けることができる。
【００７７】
一方、本実施形態のアクティブマトリクス基板２では、図４に例示したように、ビデオ信号線１７は、単純な平行線の集合ではなく、扇状の外観を呈する。したがって、ビデオ信号線１７の配線経路や配線材料を切り替える為の内側接続部１７ｃの配置の形態は複雑になると予想されるが、その構成が開示されたことはなかった。本発明はその構成を開示するものであり以下詳細に説明する。
【００７８】
（ビデオ信号線の詳細な構成）
次に、図６も参照して、ビデオ信号線１７の詳細な構成について具体的に説明する。尚、以下の説明では、第１〜第５の配線群Ａ〜Ｅに属するビデオ信号線１７について主に説明する。
【００７９】
図６は、上記アクティブマトリクス基板の具体的な要部構成を示す拡大平面図である。
【００８０】
図６に示すように、ビデオ信号線領域Ｓａは、マトリクス領域Ｈ寄りに位置する配線領域としての内側配線領域Ｉａと、端子領域Ｔａ寄りに位置する外側配線領域Ｏａの２つの配線区間から構成されている。さらに、内側配線領域Ｉａには、第１の配線部１７ａと、内側接続部１７ｃと、第２の配線部１７ｂが設けられている。また、外側配線領域Ｏａには、外側配線１７ｅが設けられており、第２の配線部１７ｂとは外側接続部１７ｄを経由して電気的に接続されている。
【００８１】
また、内側配線領域Ｉａには、第１の配線部１７ａが設けられる第１の配線部領域ｈ１と、第２の配線部１７ｂが設けられる第２の配線部領域ｈ２とが設定されている。これら第１及び第２の配線部領域ｈ１及びｈ２は、第１〜第５の配線群Ａ〜Ｅに応じて、各々異なる大きさを有するようになっている。また、外側配線領域Ｏａには、外側配線１７ｅが設けられる第３の配線部領域ｈ３が設けられている。この第３の配線部領域ｈ３は、第１〜第５の配線群Ａ〜Ｅにおいて、全て同じ大きさであり、かつ、外側配線領域Ｏａとも同じ大きさである。
【００８２】
ここで、ｇ番目のビデオ信号線１７とこれに隣接している（ｇ＋１）番目のビデオ信号線１７についてさらに説明する。
【００８３】
ｇ番目のビデオ信号線１７の内側配線領域Ｉａには、第１の導電層（下層金属膜）からなる第１の配線部１７ａと第２の導電層（上層金属膜）からなる第２の配線部１７ｂが設けられている。そして、第１の配線部１７ａと第２の配線部１７ｂとは、内側接続部１７ｃによって、その配線材料を切り替えたうえで電気的接続が維持されている。
【００８４】
（ｇ＋１）番目のビデオ信号線１７の内側配線領域Ｉａには、第２の導電層からなる第１の配線部１７ａと第１の導電層からなる第２の配線部１７ｂを有する。そして、第１の配線部１７ａと第２の配線部１７ｂとは、内側接続部１７ｃによって、その配線材料を切り替えたうえで電気的接続が維持されている。
【００８５】
本実施形態のアクティブマトリクス基板２では、ｇ番目のビデオ信号線１７が示す構造のビデオ信号線１７と、（ｇ＋１）番目のビデオ信号線１７が示す構造のビデオ信号線１７とが交互に配列して、第１〜第１０の配線群Ａ〜Ａｙを構成している。
【００８６】
（ｇ番目のビデオ信号線１７の断面構成）
次に、図７を参照して、ｇ番目のビデオ信号線１７の断面構成について具体的に説明する。
【００８７】
図７は、隣接する２本の一方のビデオ信号線を説明する断面図である。
【００８８】
図７に示すように、本実施形態の液晶表示装置１は、多結晶シリコンを基材とした薄膜トランジスタ７（図３）及び１５Ｔｒを用いたものであり、アクティブマトリクス基板２上に形成された回路層の構成は、アクティブマトリクス基板２を下層から見て、下地膜１０、半導体層１５ｈ、ゲート絶縁膜１１、ゲート電極１５ｇ、層間膜１２、ソース電極１５ｓ及びドレイン電極１５ｄ、保護膜１３、及び画素電極８となっている。また、図７において、薄膜トランジスタ１５Ｔｒは、検査及び保護回路１５の保護回路に含まれた薄膜トランジスタである。
【００８９】
また、ゲート電極１５ｇは、ゲート電極７ｇ及びゲート配線Ｇと同様に、第１の導電層（下層金属膜）により構成されている。この第１の導電層は、例えばタングステンやタンタルなどの高融点金属薄膜である。なお、このような金属膜はシート抵抗は大きいが、下層に位置していることから信頼性を維持し易い利点がある。
【００９０】
また、ソース電極１５ｓ及びドレイン電極１５ｄは、ソース電極７ｓ、ドレイン電極７ｄ、及びデータ配線Ｄと同様に、第２の導電層（上層金属膜）により構成されている。この第２の導電層は、例えばアルミニウムやクロムなどのシート抵抗が低い金属薄膜である。このような金属膜は腐食され易い欠点がある。しかしながら、保護膜１３で覆ったり、さらにはシール材Ｓの直下の領域を含めた内側配線領域Ｉａに限定したりして、第２の導電層を使用することを条件とすれば、当該第２の導電層を外気から隔離させて保護することによって腐食や断線を抑制できる。よって第２の導電層を配線として十分に実用な範囲で利用することができる。
【００９１】
また、ｇ番目のビデオ信号線１７は、マトリクス領域Ｈ寄りに位置する第１の配線部１７ａ、内側接続部１７ｃ、第２の配線部１７ｂ、外側接続部１７ｄ、及び外側配線１７ｅを経由して端子Ｔに至る経路を有する。
【００９２】
第１の配線部１７ａは、ドレイン電極１５ｄからコンタクトホールを経由した直後から始まり、そして内側接続部１７ｃに至る配線であり、第１の導電層からなる。
【００９３】
内側接続部１７ｃは、第１の導電層と層間膜１２と第２の導電層からなり、層間膜１２に開けられたコンタクトホールＨ１によって第１及び第２の導電層が電気的に接続されている。
【００９４】
第２の配線部１７ｂは、内側接続部１７ｃから始まり外側接続部１７ｄに至る配線であり、第２の導電層からなる。
【００９５】
外側接続部１７ｄは、第１の導電層と層間膜１２と第２の導電層からなり、層間膜１２に開けられたコンタクトホールＨ２によって第１及び第２の導電層が電気的に接続されている。
【００９６】
外側配線１７ｅは、第１の導電層からなり、外側接続部１７ｄから始まり端子Ｔに至る配線である。
【００９７】
端子Ｔは、第１の導電層、開口部が設けられた層間膜１２、第２の導電層からなる電極部Ｔ１の順で積層された構造を有し、表面には透明電極Ｔ２が形成されてドライバＩＣ１００との電気的接続を担う構成とされている。なお、透明電極Ｔ２は、画素電極８を構成する透明電極材料と同一材料であってもよい。
【００９８】
（（ｇ＋１）番目のビデオ信号線１７の断面構成）
次に、図８を参照して、（ｇ＋１）番目のビデオ信号線１７の断面構成について具体的に説明する。
【００９９】
図８は、隣接する２本の他方のビデオ信号線を説明する断面図である。
【０１００】
図８に示すように、（ｇ＋１）番目のビデオ信号線１７は、マトリクス領域Ｈ寄りに位置する第１の配線部１７ａ、内側接続部１７ｃ、第２の配線部１７ｂ、ダミーの外側接続部１７ｄｄ、及び外側配線１７ｅを経由して端子Ｔに至る経路を有する。
【０１０１】
第１の配線部１７ａは、ドレイン電極１５ｄからそのまま内側接続部１７ｃに向かって延伸された配線により構成されており、第２の導電層上層金属膜からなる。
【０１０２】
内側接続部１７ｃは、第１の導電層と層間膜１２と第２の導電層からなり、層間膜１２に開けられたコンタクトホールＨ１によって第１及び第２の導電層が電気的に接続されている。
【０１０３】
第２の配線部１７ｂは、内側接続部１７ｃから始まり外側接続部１７ｄｄに至る配線であり、第１の導電層からなる。
【０１０４】
外側接続部１７ｄｄは、第１の導電層と層間膜１２と第２の導電層からなり、層間膜１２に開けられたコンタクトホールＨ２によって第１及び第２の導電層が電気的に接続されている。ここで、（ｇ＋１）番目のビデオ信号線１７においては、第２の配線部１７ｂと外側配線１７ｅは同一の第１の導電層からなるので、外側接続部１７ｄｄはいわばダミーの接続部となる。
【０１０５】
このようなダミーの外側接続部１７ｄｄは、マスクレイアウトにおいて引き回しを作図する際の位置の参照位置として利用するために配置してもよいし、当業者が不要と考えるのであれば配置しなくても構わない。なお、外側接続部１７ｄｄがシール材Ｓ直下に位置することに着目して、液晶表示装置１の端子領域Ｔａ近傍のセルギャップを均一化させる目的でダミーの外側接続部１７ｄｄを配置してもよい。
【０１０６】
なお、本明細書では、外側接続部の配列の間隔と言った場合は、正規の外側接続部１７ｄとダミーの外側接続部１７ｄｄまたはその仮想した外側接続部を区分けせずに扱って指したものとする。
【０１０７】
外側配線１７ｅは、第１の導電層からなり、外側接続部１７ｄｄから始まり端子Ｔに至る配線である。
【０１０８】
端子Ｔは、第１の導電層、開口部が設けられた層間膜１２、第２の導電層からなる電極部Ｔ１の順で積層された構造を有し、表面には透明電極Ｔ２が形成されてドライバＩＣ１００との電気的接続を担う構成とされている。なお、透明電極Ｔ２は、画素電極８を構成する透明電極材料と同一材料であってもよい。
【０１０９】
（ｇ番目と（ｇ＋１）番目のビデオ信号線１７）
上記に説明したように、ｇ番目のビデオ信号線１７と（ｇ＋１）番目のビデオ信号線１７とは隣接していることから検査及び保護回路１５から端子Ｔに至るまでの配線長は、実質的に同一の配線長とみなすことができる。
【０１１０】
したがって、ｇ番目のビデオ信号線１７と（ｇ＋１）番目のビデオ信号線１７とにおいて、それぞれを構成している第１の導電層が占める区間と第２の導電層が占める区間の割合を同一とすることができれば、ｇ番目のビデオ信号線１７と（ｇ＋１）番目のビデオ信号線１７の配線抵抗を実質的に同一をみなすことできる。少なくとも隣接するビデオ信号線１７にて大きくその配線抵抗が変化してしまうことを避けることができ、液晶表示装置１において、表示ムラのない表示の均一性を維持できる。
【０１１１】
本実施形態のアクティブマトリクス基板２においては、内側接続部１７ｃが内側配線領域Ｉａの配線長を２等分する位置（つまり、第１及び第２の配線部１７ａ及び１７ｂの配線長を同じとする位置）に配置されている。したがって、第１の導電層が占める区間と第２の導電層が占める区間の割合が、ｇ番目のビデオ信号線１７と（ｇ＋１）番目のビデオ信号線１７にて同一とすることができる。
【０１１２】
また、このようなビデオ信号線１７は、内側配線領域Ｉａにおいて隣接する２本のビデオ信号線１７の金属膜が層間膜を介して異なって存在しているので、異物などによる短絡の可能性を抑えながら小さいピッチでビデオ信号線１７を配置することができる。したがって、きつい絞り込み角度で扇状のビデオ信号線１７を引き回すことができ、ひいては端子辺（つまり、液晶表示装置１において、端子Ｔが設けられた一辺）の額縁が小さい液晶表示装置１を実現できる。
【０１１３】
（扇状に絞り込まれたビデオ信号線の構成）
上記の説明では、隣接する２本のビデオ信号線１７に着目して説明したが、扇状に絞りこまれて多数本が引き回されるビデオ信号線１７、つまりマトリクス領域Ｈと端子領域Ｔａとの間で、マトリクス領域Ｈから端子領域Ｔａに向かう方向で配線ピッチが小さくなるように設定された配線領域（内側配線領域Ｉａ）に配線された複数のビデオ信号線１７に対して適用するためには更なる工夫が必要である。
【０１１４】
すなわち、第１の導電層と第２の導電層を用いて小さい配線ピッチを有する配線を効率よく引き回すためには、多数本のビデオ信号線１７の構成を一様にすることによっては実現できず、ビデオ信号線１７の構成を意図的に変化させる必要があることを本願発明の発明者は見出した。
【０１１５】
すなわち、図４に示すように、第１〜第５の配線群Ａ〜Ｅ及び第６〜第１０の配線群Ｅｙ〜Ａｙのように、ビデオ信号線１７を区分けして、それぞれに適した構成とすることによって本願発明の発明者は本発明を完成させた。これを以下に続いて説明する。なお、図４では、第１〜第５の配線群Ａ〜Ｅ及び第６〜第１０の配線群Ｅｙ〜Ａｙの計１０個の配線群がある構成を示しているがこれに限らない。後述するように、配線群の種類が最小になる事例では、第１〜第３の配線群Ａ〜Ｃの３つの配線群があればよい。
【０１１６】
（第１の配線群Ａのビデオ信号線１７）
次に、図９〜図１０を参照して、第１の配線群Ａのビデオ信号線１７について具体的に説明する。
【０１１７】
図９は、図６に示した第１の配線群でのビデオ信号線を説明する図である。図１０（ａ）は、図９のＸａ−Ｘａ線断面図であり、図１０（ｂ）は、図９のＸｂ−Ｘｂ線断面図であり、図１０（ｃ）は、図９のＸｃ−Ｘｃ線断面図である。なお、図９においては、図面の簡略化のために、第１の配線群Ａのビデオ信号線１７以外のビデオ信号線１７の図示を省略している。
【０１１８】
図９に示すように、第１の配線群Ａにおいて、ビデオ信号線１７は図の紙面左上から右下に向かう方向に配線されている。ビデオ信号線領域Ｓａは、シール材Ｓを境界としてマトリクス領域Ｈ寄りに位置する内側配線領域Ｉａと端子領域Ｔａ寄りに位置する外側配線領域Ｏａから構成されている。内側配線領域Ｉａには、マトリクス領域Ｈ側から順に第１の配線部１７ａ、内側接続部１７ｃ、及び第２の配線部１７ｂが設けられている。また、内側配線領域Ｉａの第２の配線部１７ｂと外側配線領域Ｏａの外側配線１７ｅとは外側接続部１７ｄで電気的に接続されている。したがって、第１の配線群Ａのビデオ信号線１７の各々は、マトリクス領域Ｈ側から見て、第１の配線部１７ａ、内側接続部１７ｃ、第２の配線部１７ｂ、外側接続部１７ｄ、外側配線１７ｅ、及び端子Ｔの経路を有する。
【０１１９】
第１の配線部１７ａは、検査及び保護回路１５側であってマトリクス領域Ｈの一辺（紙面水平方向）に沿うように平行に所定のピッチ（配置間隔）Ｐａの間隔で端子領域Ｔａに向かうように引き出され、またマトリクス領域Ｈの一辺に対して所定の角度θａ１で引き出されている。
【０１２０】
第１の配線部１７ａは、図１０（ａ）に示すように、第２の導電層の配線部と第１の導電層の配線部が交互にＰａ１のピッチで繰り返した構造を有する。すなわち、Ａ（ｈ）番目の第１の配線部１７ａとＡ（ｈ＋２）番目の第１の配線部１７ａは第２の導電層で構成され、Ａ（ｈ＋１）番目の第１の配線部１７ａとＡ（ｈ＋３）番目の第１の配線部１７ａは第１の導電層で構成されている。
【０１２１】
隣接するＡ（ｈ）番目の第１の配線部１７ａとＡ（ｈ＋１）番目の第１の配線部１７ａのピッチはＰａ１である。また、同層に形成されている第１の配線部１７ａ、例えばＡ（ｈ）番目の第１の配線部１７ａとＡ（ｈ＋２）番目の第１の配線部１７ａのピッチは２ｘＰａ１であり、Ａ（ｈ＋１）番目の第１の配線部１７ａとＡ（ｈ＋３）番目の第１の配線部１７ａのピッチは２ｘＰａ１である。
【０１２２】
内側接続部１７ｃは、第１の配線部１７ａと第２の配線部１７ｂの接続位置にマトリクス領域Ｈの一辺に沿うように平行に所定の間隔Ｐａｉで配置されている。また内側配線領域Ｉａにあって隣接する２本のビデオ信号線１７の配線抵抗の均一化のために、配線長を２等分する位置に内側接続部１７ｃが配置されている。すなわち、第１の配線部１７ａの配線長と第２の配線部１７ｂの配線長は同一である。
【０１２３】
第２の配線部１７ｂは、内側接続部１７ｃから端子領域Ｔａに向かうように引き出され、かつ内側接続部１７ｃの配列方向、言い換えるとマトリクス領域Ｈの一辺に対して所定の角度θａ２で引き出される。第２の配線部１７ｂは、図１０（ｂ）に示すように、第２の導電層の配線部と第１の導電層の配線部が交互にＰａ２のピッチで繰り返した構造を有する。そして、同一のビデオ信号線１７の経路上にある第１の配線部１７ａと第２の配線部１７ｂとはその配線材料が異なる。すなわち、Ａ（ｈ）番目の第２の配線部１７ｂとＡ（ｈ＋２）番目の第２の配線部１７ｂは第１の導電層で構成され、Ａ（ｈ＋１）番目の第２の配線部１７ｂとＡ（ｈ＋３）番目の第２の配線部１７ｂは第２の導電層で構成されている。
【０１２４】
隣接するＡ（ｈ）番目の第２の配線部１７ｂとＡ（ｈ＋１）番目の第２の配線部１７ｂのピッチはＰａ２である。また同層にある第２の配線部１７ｂ、例えばＡ（ｈ）番目の第２の配線部１７ｂとＡ（ｈ＋２）番目の第２の配線部１７ｂのピッチは２ｘＰａ２であり、Ａ（ｈ＋１）番目の第２の配線部１７ｂとＡ（ｈ＋３）番目の第２の配線部１７ｂのピッチは２ｘＰａ２である。
【０１２５】
外側接続部１７ｄは、第２の配線部１７ｂと外側配線１７ｅの接続位置にマトリクス領域Ｈの一辺に沿うように平行に所定の間隔Ｐａｏで配置されている。ここで、外側接続部１７ｄは２種類が配置されている。すなわち、第２の配線部１７ｂと外側配線１７ｅの配線材料が異なる場合は、外側接続部１７ｄは配線切り替え部として機能し、第２の配線部１７ｂと外側配線１７ｅが同一の配線材料である場合はダミーの外側接続部１７ｄｄとなる。ダミーの外側接続部１７ｄｄは極端な場合では設ける必要はない。本明細書では断りのない限り正規の外側接続部１７ｄとダミーの外側接続部１７ｄｄは区別していないが、第２の配線部１７ｂと外側配線１７ｅの構成に基づけば該当箇所の外側接続部が正規かダミーかは自ずと判ることは言うまでもない。
【０１２６】
外側配線１７ｅは、外側接続部１７ｄから端子Ｔの配列方向に、言い換えるとマトリクス領域Ｈの一辺に対して所定の角度θａ３で端子領域Ｔａに向かうように引き出されている。外側配線１７ｅは、図１０（ｃ）に示すように、第１の導電層がＰａ３のピッチで繰り返した構造を有する。すなわちＡ（ｈ）番目、Ａ（ｈ＋１）番目、Ａ（ｈ＋２）番目、及びＡ（ｈ＋３）番目の外側配線１７ｅは、全て第１の導電層から構成されている。また、外側配線１７ｅは、その経路の途中で屈曲して端子Ｔの方向へ延伸され、所定のピッチＰｉｃで配列している端子Ｔに接続できるように、外側接続１７ｅの配線ピッチを変化させて端子Ｔへ接続される。つまり、第１の配線群Ａにおいては、ビデオ信号線１７を端子Ｔへ接続させるための位置調整を、外側配線１７ｅが屈曲することによって担っている。
【０１２７】
ここで、第１の配線群Ａのビデオ信号線１７の特徴とその好適な引き回しを説明する。第１の配線群Ａにおいては、マトリクス領域Ｈの一辺に沿って平行に内側接続部１７ｃが配列されていることが特徴であり、以下にその理由及び効果を説明する。
【０１２８】
内側配線領域Ｉａにおいて、シート抵抗が異なる第１の導電層の配線と第２の導電層の配線を１組にして繰り返した配線とした場合に、隣接する２本のビデオ信号線１７同士の抵抗が大きく変わらないようにするためには、そのビデオ信号線１７を２等分する位置に内側接続部１７ｃを配置してそこで配線材料を切り替える必要がある。
【０１２９】
ビデオ信号線１７と端子Ｔの位置調整は屈曲している外側配線１７ｅが担っていることに着目すると、内側配線領域Ｉａのビデオ信号線１７の一方端のピッチＰａと他方端のピッチＰａｏの関係について、Ｐａ＝Ｐａｏとすれば、第１の配線部１７ａと第２の配線部１７ｂをほぼ１直線の平行な配線群とすることができる。すなわち、内側配線領域Ｉａのビデオ信号線１７を１本の配線とみなすことができるので、幾何学的にそれを２等分する位置を容易に探すことができる。したがって、その位置に基づいて、内側接続部１７ｃを配置することができる。このようにして第１の配線部１７ａと第２の配線部１７ｂのレイアウトを調整し、条件を好適に調整した場合には第１の配線部１７ａと第２の配線部１７ｂを等長にすることができる。
【０１３０】
好適な引き回しとするためには、第１の配線部１７ａの延伸方向である角度θａ１と第２の配線部１７ｂの延伸方向である角度θａ２に関してθａ１＝θａ２であるとよい。これによって第１の配線部１７ａと第２の配線部１７ｂとを１本の実質的に屈曲しない直線として扱うことができ、内側配線領域Ｉａのビデオ信号線１７を２等分する位置を容易に探すことができる。
【０１３１】
第１の配線部１７ａの延伸方向である角度θａ１はその配線ピッチＰａ１と引き出しピッチＰａで決まる。第２の配線部１７ｂの延伸方向である角度θａ２はその配線ピッチＰａ２と引き出しピッチＰａｉで決まる。第１の配線部１７ａと第２の配線部１７ｂの断面構造と配線材料が同一であるとみなせることから、第１の配線部１７ａの配線ピッチＰａ１と第２の配線部１７ｂの配線ピッチＰａ２の関係はＰａ１＝Ｐａ２と言える。したがって、角度θａ１と角度θａ２を同一とするためにはＰａ＝Ｐａｉとすることが最も好ましい。
【０１３２】
（第２の配線群Ｂのビデオ信号線１７）
次に、図１１〜図１２を参照して、第２の配線群Ｂのビデオ信号線１７について具体的に説明する。
【０１３３】
図１１は、図６に示した第２の配線群でのビデオ信号線を説明する図である。図１２（ａ）は、図１１のＸＩＩａ−ＸＩＩａ線断面図であり、図１２（ｂ）は、図１１のＸＩＩｂ−ＸＩＩｂ線断面図であり、図１２（ｃ）は、図１１のＸＩＩｃ−ＸＩＩｃ線断面図である。なお、図１１においては、図面の簡略化のために、第２の配線群Ｂのビデオ信号線１７と隣接する第１の配線群Ａの１本のビデオ信号線１７以外のビデオ信号線１７の図示を省略している。
【０１３４】
図１１に示すように、第２の配線群Ｂにおいて、ビデオ信号線１７は図の紙面左上から右下に向かう方向に配線されている。ビデオ信号線領域Ｓａは、シール材Ｓを境界としてマトリクス領域Ｈ寄りに位置する内側配線領域Ｉａと端子領域Ｔａ寄りに位置する外側配線領域Ｏａから構成されている。内側配線領域Ｉａには、マトリクス領域Ｈ側から順に第１の配線部１７ａ、内側接続部１７ｃ、及び第２の配線部１７ｂが設けられている。また、内側配線領域Ｉａの第２の配線部１７ｂと外側配線領域Ｏａの外側配線１７ｅとは外側接続部１７ｄで電気的に接続されている。したがって、第２の配線群Ｂのビデオ信号線１７の各々は、マトリクス領域Ｈ側から見て、第１の配線部１７ａ、内側接続部１７ｃ、第２の配線部１７ｂ、外側接続部１７ｄ、外側配線１７ｅ、及び端子Ｔの経路を有する。
【０１３５】
第１の配線部１７ａは、検査及び保護回路１５側であってマトリクス領域Ｈの一辺（紙面水平方向）に沿うように平行に所定のピッチ（配置間隔）Ｐｂの間隔で端子領域Ｔａに向かうように引き出され、またマトリクス領域Ｈの一辺に対して所定の角度θｂ１で引き出されている。
【０１３６】
第１の配線部１７ａは、図１２（ａ）に示すように、第２の導電層の配線部と第１の導電層の配線部が交互にＰｂ１のピッチで繰り返した構造を有する。すなわち、Ｂ（ｉ）番目の第１の配線部１７ａとＢ（ｉ＋２）番目の第１の配線部１７ａは第２の導電層で構成され、Ｂ（ｉ＋１）番目の第１の配線部１７ａとＢ（ｉ＋３）番目の第１の配線部１７ａは第１の導電層で構成されている。
【０１３７】
隣接するＢ（ｉ）番目の第１の配線部１７ａとＢ（ｉ＋１）番目の第１の配線部１７ａのピッチはＰｂ１である。また、同層に形成されている第１の配線部１７ａ、例えばＢ（ｉ）番目の第１の配線部１７ａとＢ（ｉ＋２）番目の第１の配線部１７ａのピッチは２ｘＰｂ１であり、Ｂ（ｉ＋１）番目の第１の配線部１７ａとＢ（ｉ＋３）番目の第１の配線部１７ａのピッチは２ｘＰｂ１である。
【０１３８】
内側接続部１７ｃは、第１の配線部１７ａと第２の配線部１７ｂの接続位置であってマトリクス領域Ｈの一辺に徐々に近づくように配置されている。内側接続部１７ｃのマトリクス領域Ｈの一辺に沿った配置ピッチはＰｂｉである。また内側配線領域Ｉａにあって隣接する２本のビデオ信号線１７の配線抵抗の均一化のために、配線長を２等分する位置に内側接続部１７ｃが配置されている。すなわち、第１の配線部１７ａの配線長と第２の配線部１７ｂの配線長は同一である。
【０１３９】
第２の配線部１７ｂは、内側接続部１７ｃから端子領域Ｔａに向かうように引き出され、かつマトリクス領域Ｈの一辺に対して所定の角度θｂ２で引き出される。第２の配線部１７ｂは、図１２（ｂ）に示すように、第２の導電層の配線部と第１の導電層の配線部が交互にＰｂ２のピッチで繰り返した構造を有する。そして、同一のビデオ信号線１７の経路上にある第１の配線部１７ａと第２の配線部１７ｂとはその配線材料が異なる。すなわち、Ｂ（ｉ）番目の第２の配線部１７ｂとＢ（ｉ＋２）番目の第２の配線部１７ｂは第１の導電層で構成され、Ｂ（ｉ＋１）番目の第２の配線部１７ｂとＢ（ｉ＋３）番目の第２の配線部１７ｂは第２の導電層で構成されている。
【０１４０】
隣接するＢ（ｉ）番目の第２の配線部１７ｂとＢ（ｉ＋１）番目の第２の配線部１７ｂのピッチはＰｂ２である。また同層にある第２の配線部１７ｂ、例えばＢ（ｉ）番目の第２の配線部１７ｂとＢ（ｉ＋２）番目の第２の配線部１７ｂのピッチは２ｘＰｂ２であり、Ｂ（ｉ＋１）番目の第２の配線部１７ｂとＢ（ｉ＋３）番目の第２の配線部１７ｂのピッチは２ｘＰｂ２である。
【０１４１】
外側接続部１７ｄは、第２の配線部１７ｂと外側配線１７ｅの接続位置にマトリクス領域Ｈの一辺に沿うように平行に所定の間隔Ｐｂｏで配置されている。ここで、外側接続部１７ｄは２種類が配置されている。すなわち、第２の配線部１７ｂと外側配線１７ｅの配線材料が異なる場合は、外側接続部１７ｄは配線切り替え部として機能し、第２の配線部１７ｂと外側配線１７ｅが同一の配線材料である場合はダミーの外側接続部１７ｄｄとなる。ダミーの外側接続部１７ｄｄは極端な場合では設ける必要はない。本明細書では断りのない限り正規の外側接続部１７ｄとダミーの外側接続部１７ｄｄは区別していないが、第２の配線部１７ｂと外側配線１７ｅの構成に基づけば該当箇所の外側接続部が正規かダミーかは自ずと判ることは言うまでもない。
【０１４２】
外側配線１７ｅは、外側接続部１７ｄから端子Ｔの配列方向に、言い換えるとマトリクス領域Ｈの一辺に対して垂直な角度（角度θｂ３、図示せず）、つまり屈曲せずに端子領域Ｔａに向かうように引き出されている。外側配線１７ｅは、図１２（ｃ）に示すように、第１の導電層がＰｂ３のピッチで繰り返した構造を有する。すなわちＢ（ｉ）番目、Ｂ（ｉ＋１）番目、Ｂ（ｉ＋２）番目、及びＢ（ｉ＋３）番目の外側配線１７ｅは、全て第１の導電層から構成されている。また、外側配線１７ｅは、その経路の途中で屈曲せずに端子Ｔの方向へ延伸されるため、その配置ピッチＰｂ３は端子Ｔの配列ピッチＰｉｃに対してＰｂ３＝Ｐｉｃとなる。つまり、第２の配線群Ｂにおいては、ビデオ信号線１７を端子Ｔへ接続させるための位置調整を、外側配線１７ｅではなくて第２の配線部１７ｂが屈曲することによって担っている。
【０１４３】
ここで、第２の配線群Ｂのビデオ信号線１７の特徴とその好適な引き回しを説明する。第２の配線群Ｂにおいては、マトリクス領域Ｈの一辺に対して徐々に近づくように内側接続部１７ｃが配列されていることが特徴であり、以下にその理由及び効果を説明する。
【０１４４】
内側配線領域Ｉａにおいて、シート抵抗が異なる第１の導電層の配線と第２の導電層の配線を１組にして繰り返した配線とした場合に、隣接する２本のビデオ信号線１７同士の抵抗が大きく変わらないようにするためには、そのビデオ信号線１７を２等分する位置に内側接続部１７ｃを配置してそこで配線材料を切り替える必要がある。
【０１４５】
しかし、第２の配線群Ｂにおいては、ビデオ信号線１７と端子Ｔの位置調整は屈曲している第２の配線部１７ｂが担っていること、及び内側配線領域Ｉａの配線距離が徐々に短くなっていくことから内側接続部１７ｃの配置位置に工夫が必要である。言い換えると、内側接続部１７ｃの配置は単調な構成は適切ではなく積極的に調整する必要があるのである。
【０１４６】
そこで、本実施形態のアクティブマトリクス基板２では、内側接続部１７ｃのマトリクス領域Ｈの一辺に沿った配置ピッチＰｂｉを、内側配線領域Ｉａのビデオ信号線１７の一方端のピッチＰｂに対してＰｂｉ＜Ｐｂになるように設定した。さらに、内側接続部１７ｃをマトリクス領域Ｈの一辺に徐々に１ピッチあたりΔｂだけ近づくように紙面右上方向の斜め線上に配列するようにした。こうすることにより、内側配線領域Ｉａの配線長の２等分する位置近傍に内側接続部１７ｃを配置することができ、条件を好適に調整した場合には第１の配線部１７ａと第２の配線部１７ｂを等長にすることができる。
【０１４７】
好適な引き回しとするためには、第１の配線部１７ａの延伸方向である角度θｂ１と第２の配線部１７ｂの延伸方向である角度θｂ２に関して、第１の配線群Ａの第１の配線部１７ａの延伸方向である角度θａ１、第２の配線部１７ｂの延伸方向である角度θａ２との間に、θａ１＝θｂ１、かつ、θａ２＝θｂ２であると良い。これによって、第２の配線群Ｂのビデオ信号線１７の延伸方向が隣接している第１の配線群Ａのビデオ信号線１７と干渉することがなくなる。
【０１４８】
第２の配線群Ｂにおいては、第１の配線部１７ａの延伸方向である角度θｂ１はその配線ピッチＰｂ１と引き出しピッチＰｂで決まる。第２の配線部１７ｂの延伸方向である角度θｂ２はその配線ピッチＰｂ２と引き出しピッチＰｂｉ及びΔｂとで決まる。第１の配線部１７ａと第２の配線部１７ｂの断面構造と配線材料が同一であるとみなせることから、第１の配線部１７ａの配線ピッチＰｂ１と第２の配線部１７ｂの配線ピッチＰｂ２の関係はＰｂ１＝Ｐｂ２と言える。したがって、角度θｂ１と角度θｂ２を同一とするためにはＰｂ＞Ｐｂｉとすることが最も好ましい。
【０１４９】
（第３の配線群Ｃのビデオ信号線１７）
次に、図１３〜図１４を参照して、第３の配線群Ｃのビデオ信号線１７について具体的に説明する。
【０１５０】
図１３は、図６に示した第３の配線群でのビデオ信号線を説明する図である。図１４（ａ）は、図１３のＸＩＶａ−ＸＩＶａ線断面図であり、図１４（ｂ）は、図１３のＸＩＶｂ−ＸＩＶｂ線断面図であり、図１４（ｃ）は、図１３のＸＩＶｃ−ＸＩＶｃ線断面図である。なお、図１３においては、図面の簡略化のために、第３の配線群Ｃのビデオ信号線１７と隣接する第２の配線群Ｂの１本のビデオ信号線１７以外のビデオ信号線１７の図示を省略している。
【０１５１】
図１３に示すように、第３の配線群Ｃにおいて、ビデオ信号線１７は図の紙面左上から右下に向かう方向に配線されている。ビデオ信号線領域Ｓａは、シール材Ｓを境界としてマトリクス領域Ｈ寄りに位置する内側配線領域Ｉａと端子領域Ｔａ寄りに位置する外側配線領域Ｏａから構成されている。内側配線領域Ｉａには、マトリクス領域Ｈ側から順に第１の配線部１７ａ、内側接続部１７ｃ、及び第２の配線部１７ｂが設けられている。また、内側配線領域Ｉａの第２の配線部１７ｂと外側配線領域Ｏａの外側配線１７ｅとは外側接続部１７ｄで電気的に接続されている。したがって、第３の配線群Ｃのビデオ信号線１７の各々は、マトリクス領域Ｈ側から見て、第１の配線部１７ａ、内側接続部１７ｃ、第２の配線部１７ｂ、外側接続部１７ｄ、外側配線１７ｅ、及び端子Ｔの経路を有する。
【０１５２】
第１の配線部１７ａは、検査及び保護回路１５側であってマトリクス領域Ｈの一辺（紙面水平方向）に沿うように平行に所定のピッチ（配置間隔）Ｐｃの間隔で端子領域Ｔａに向かうように引き出され、またマトリクス領域Ｈの一辺に対して所定の角度θｃ１で引き出されている。また引き出されたあと、第１の配線部１７ａは第２の配線部１７ｂに接続される手前で屈曲して延伸方向を変えて端子領域Ｔａに向かって延伸している。つまり、第３の配線群Ｃにおいては、ビデオ信号線１７を端子Ｔへ接続させるための位置調整を、外側配線１７ｅや第２の配線部１７ｂではなくて第１の配線部１７ａが屈曲することによって担っている。
【０１５３】
第１の配線部１７ａは、図１４（ａ）に示すように、第２の導電層の配線部と第１の導電層の配線部が交互にＰｃ１のピッチで繰り返した構造を有する。すなわち、Ｃ（ｊ）番目の第１の配線部１７ａとＣ（ｊ＋２）番目の第１の配線部１７ａは第２の導電層で構成され、Ｃ（ｊ＋１）番目の第１の配線部１７ａとＣ（ｊ＋３）番目の第１の配線部１７ａは第１の導電層で構成されている。
【０１５４】
隣接するＣ（ｊ）番目の第１の配線部１７ａとＣ（ｊ＋１）番目の第１の配線部１７ａのピッチはＰｃ１である。また、同層に形成されている第１の配線部１７ａ、例えばＣ（ｊ）番目の第１の配線部１７ａとＣ（ｊ＋２）番目の第１の配線部１７ａのピッチは２ｘＰｃ１であり、Ｃ（ｊ＋１）番目の第１の配線部１７ａとＣ（ｊ＋３）番目の第１の配線部１７ａのピッチは２ｘＰｃ１である。
【０１５５】
内側接続部１７ｃは、第１の配線部１７ａと第２の配線部１７ｂの接続位置であってマトリクス領域Ｈの一辺から徐々に離れるように配置されている。内側接続部１７ｃのマトリクス領域Ｈの一辺に沿った配置ピッチはＰｃｉである。また内側配線領域Ｉａにあって隣接する２本のビデオ信号線１７の配線抵抗の均一化のために、配線長を２等分する位置に内側接続部１７ｃが配置されている。すなわち、第１の配線部１７ａの配線長と第２の配線部１７ｂの配線長は同一である。
【０１５６】
第２の配線部１７ｂは、内側接続部１７ｃから端子領域Ｔａに向かうように引き出され、かつマトリクス領域Ｈの一辺に対して所定の角度θｃ２で引き出される。ここで、第１の配線部１７ａは、内側接続部１７ｃの手前で屈曲して、マトリクス領域Ｈの一辺に対して９０°の向きで端子領域Ｔａへ延伸している。したがって、内側接続部１７ｃから引き出される第２の配線部１７ｂの延伸方向である角度θｃ２は、マトリクス領域Ｈの一辺に対して垂直、つまり９０°の角度となる。
【０１５７】
第２の配線部１７ｂは、図１４（ｂ）に示すように、第２の導電層の配線部と第１の導電層の配線部が交互にＰｃ２のピッチで繰り返した構造を有する。そして、同一のビデオ信号線１７の経路上にある第１の配線部１７ａと第２の配線部１７ｂとはその配線材料が異なる。すなわち、Ｃ（ｊ）番目の第２の配線部１７ｂとＣ（ｊ＋２）番目の第２の配線部１７ｂは第１の導電層で構成され、Ｃ（ｊ＋１）番目の第２の配線部１７ｂとＣ（ｊ＋３）番目の第２の配線部１７ｂは第２の導電層で構成されている。
【０１５８】
隣接するＣ（ｊ）番目の第２の配線部１７ｂとＣ（ｊ＋１）番目の第２の配線部１７ｂのピッチはＰｃ２である。また同層にある第２の配線部１７ｂ、例えば第Ｃ（ｊ）番目の２の配線部１７ｂとＣ（ｊ＋２）番目の第２の配線部１７ｂのピッチは２ｘＰｃ２であり、Ｃ（ｊ＋１）番目の第２の配線部１７ｂとＣ（ｊ＋３）番目の第２の配線部１７ｂのピッチは２ｘＰｃ２である。
【０１５９】
外側接続部１７ｄは、第２の配線部１７ｂと外側配線１７ｅの接続位置にマトリクス領域Ｈの一辺に沿うように平行に所定の間隔Ｐｃｏで配置されている。ここで、外側接続部１７ｄは２種類が配置されている。すなわち、第２の配線部１７ｂと外側配線１７ｅの配線材料が異なる場合は、外側接続部１７ｄは配線切り替え部として機能し、第２の配線部１７ｂと外側配線１７ｅが同一の配線材料である場合はダミーの外側接続部１７ｄｄとなる。ダミーの外側接続部１７ｄｄは極端な場合では設ける必要はない。本明細書では断りのない限り正規の外側接続部１７ｄとダミーの外側接続部１７ｄｄは区別していないが、第２の配線部１７ｂと外側配線１７ｅの構成に基づけば該当箇所の外側接続部が正規かダミーかは自ずと判ることは言うまでもない。
【０１６０】
外側配線１７ｅは、外側接続部１７ｄから端子Ｔの配列方向に、言い換えるとマトリクス領域Ｈの一辺に対して垂直な角度（角度θｃ３、図示せず）、つまり屈曲せずに端子領域Ｔａに向かうように引き出されている。外側配線１７ｅは、図１４（ｃ）に示すように、第１の導電層がＰｃ３のピッチで繰り返した構造を有する。すなわちＣ（ｊ）番目、Ｃ（ｊ＋１）番目、Ｃ（ｊ＋２）番目、及びＣ（ｊ＋３）番目の外側配線１７ｅは、全て第１の導電層から構成されている。また、外側配線１７ｅは、その経路の途中で屈曲せずに端子Ｔの方向へ延伸されるため、その配置ピッチＰｃ３は端子Ｔの配列ピッチＰｉｃに対してＰｃ３＝Ｐｉｃとなる。
【０１６１】
ここで、第３の配線群Ｃのビデオ信号線１７の特徴とその好適な引き回しを説明する。第３の配線群Ｃにおいては、マトリクス領域Ｈの一辺に対して徐々に離れるように内側接続部１７ｃが配列されていることが特徴であり、以下にその理由及び効果を説明する。
【０１６２】
内側配線領域Ｉａにおいて、シート抵抗が異なる第１の導電層の配線と第２の導電層の配線を１組にして繰り返した配線とした場合に、隣接する２本のビデオ信号線１７同士の抵抗が大きく変わらないようにするためには、そのビデオ信号線１７を２等分する位置に内側接続部１７ｃを配置してそこで配線材料を切り替える必要がある。
【０１６３】
しかし、第３の配線群Ｃにおいては、ビデオ信号線１７と端子Ｔの位置調整は屈曲している第１の配線部１７ａが担っていること、及び内側配線領域Ｉａの配線距離に占める、マトリクス領域Ｈの一辺に対して９０°の角度の配線の割合が増えていくことから、内側接続部１７ｃの配置位置に工夫が必要である。言い換えると、内側接続部１７ｃの配置は単調な構成は適切ではなく、積極的に調整する必要があるのである。
【０１６４】
そこで、本実施形態のアクティブマトリクス基板２では、内側接続部１７ｃのマトリクス領域Ｈの一辺に沿った配置ピッチＰｃｉを、内側配線領域Ｉａのビデオ信号線１７の一方端のピッチＰｃに対してＰｃｉ＜Ｐｃになるように設定し、好適にはＰｃｉ＝Ｐｉｃとした。さらに、内側接続部１７ｃをマトリクス領域Ｈの一辺に徐々に１ピッチあたりΔｃだけ離れていくように紙面右下方向の斜め線上に配列するようにした。こうすることにより、内側配線領域Ｉａの配線長の２等分する位置近傍に内側接続部１７ｃを配置することができ、条件を好適に調整した場合には第１の配線部１７ａと第２の配線部１７ｂを等長にすることができる。
【０１６５】
好適な引き回しとするためには、第１の配線部１７ａの延伸方向である角度θｃ１に関して、第２の配線群Ｂの第１の配線部１７ａの延伸方向である角度θｂ１との関係が、θｂ１＝θｃ１であると良い。これによって、第３の配線群Ｃのビデオ信号線１７の延伸方向が隣接している第２の配線群Ｂのビデオ信号線１７と干渉することがなくなる。
【０１６６】
（第４の配線群Ｄのビデオ信号線１７）
次に、図１５〜図１６を参照して、第４の配線群Ｄのビデオ信号線１７について具体的に説明する。
【０１６７】
図１５は、図６に示した第４の配線群でのビデオ信号線を説明する図である。図１６（ａ）は、図１５のＸＶＩａ−ＸＶＩａ線断面図であり、図１６（ｂ）は、図１５のＸＶＩｂ−ＸＶＩｂ線断面図であり、図１６（ｃ）は、図１５のＸＶＩｃ−ＸＶＩｃ線断面図である。なお、図１５においては、図面の簡略化のために、第４の配線群Ｄのビデオ信号線１７と隣接する第３の配線群Ｃの１本のビデオ信号線１７以外のビデオ信号線１７の図示を省略している。
【０１６８】
図１５に示すように、第４の配線群Ｄにおいて、ビデオ信号線１７は紙面右上から左下に向かう配線されている。ビデオ信号線領域Ｓａは、シール材Ｓを境界としてマトリクス領域Ｈ寄りに位置する内側配線領域Ｉａと端子領域Ｔａ寄りに位置する外側配線領域Ｏａから構成されている。内側配線領域Ｉａには、マトリクス領域Ｈ側から順に第１の配線部１７ａ、内側接続部１７ｃ、及び第２の配線部１７ｂが設けられている。また、内側配線領域Ｉａの第２の配線部１７ｂと外側配線領域Ｏａの外側配線１７ｅとは外側接続部１７ｄで電気的に接続されている。したがって、第４の配線群Ｄのビデオ信号線１７の各々は、マトリクス領域Ｈ側から見て、第１の配線部１７ａ、内側接続部１７ｃ、第２の配線部１７ｂ、外側接続部１７ｄ、外側配線１７ｅ、及び端子Ｔの経路を有する。
【０１６９】
第１の配線部１７ａは、検査及び保護回路１５側であってマトリクス領域Ｈの一辺（紙面水平方向）に沿うように平行に所定のピッチ（配置間隔）Ｐｄの間隔で端子領域Ｔａに向かうように引き出され、またマトリクス領域Ｈの一辺に対して所定の角度θｄ１で引き出されている。また引き出されたあと、第１の配線部１７ａは第２の配線部１７ｂに接続される手前で屈曲して延伸方向を変えて端子領域Ｔａに向かって延伸している。つまり、第４の配線群Ｄにおいては、ビデオ信号線１７を端子Ｔへ接続させるための位置調整を、外側配線１７ｅや第２の配線部１７ｂではなくて第１の配線部１７ａが屈曲することによって担っている。
【０１７０】
第１の配線部１７ａは、図１６（ａ）に示すように、第２の導電層の配線部と第１の導電層の配線部が交互にＰｄ１のピッチで繰り返した構造を有する。すなわち、Ｄ（ｋ）番目の第１の配線部１７ａとＤ（ｋ＋２）番目の第１の配線部１７ａは第２の導電層で構成され、Ｄ（ｋ＋１）番目の第１の配線部１７ａとＤ（ｋ＋３）番目の第１の配線部１７ａは第１の導電層で構成されている。
【０１７１】
隣接するＤ（ｋ）番目の第１の配線部１７ａとＤ（ｋ＋１）番目の第１の配線部１７ａのピッチはＰｄ１である。また、同層に形成されている第１の配線部１７ａ、例えばＤ（ｋ）番目の第１の配線部１７ａとＤ（ｋ＋２）番目の第１の配線部１７ａのピッチは２ｘＰｄ１であり、Ｄ（ｋ＋１）番目の第１の配線部１７ａとＤ（ｋ＋３）番目の第１の配線部１７ａのピッチは２ｘＰｄ１である。
【０１７２】
内側接続部１７ｃは、第１の配線部１７ａと第２の配線部１７ｂの接続位置であってマトリクス領域Ｈの一辺に徐々に近づくように配置されている。内側接続部１７ｃのマトリクス領域Ｈの一辺に沿った配置ピッチはＰｄｉである。また内側配線領域Ｉａにあって隣接する２本のビデオ信号線１７の配線抵抗の均一化のために、配線長を２等分する位置に内側接続部１７ｃが配置されている。すなわち、第１の配線部１７ａの配線長と第２の配線部１７ｂの配線長は同一である。
【０１７３】
第２の配線部１７ｂは、内側接続部１７ｃから端子領域Ｔａに向かうように引き出され、かつマトリクス領域Ｈの一辺に対して所定の角度θｄ２（図示せず）で引き出される。ここで、第１の配線部１７ａは、内側接続部１７ｃの手前で屈曲して、マトリクス領域Ｈの一辺に対して９０°の向きで端子領域Ｔａへ延伸している。したがって、内側接続部１７ｃから引き出される第２の配線部１７ｂの延伸方向である角度θｄ２は、マトリクス領域Ｈの一辺に対して垂直、つまり９０°の角度となる。
【０１７４】
第２の配線部１７ｂは、図１６（ｂ）に示すように、第２の導電層の配線部と第１の導電層の配線部が交互にＰｄ２のピッチで繰り返した構造を有する。そして、同一のビデオ信号線１７の経路上にある第１の配線部１７ａと第２の配線部１７ｂとはその配線材料が異なる。すなわち、Ｄ（ｋ）番目の第２の配線部１７ｂとＤ（ｋ＋２）番目の第２の配線部１７ｂは第１の導電層で構成され、Ｄ（ｋ＋１）番目の第２の配線部１７ｂとＤ（ｋ＋３）番目の第２の配線部１７ｂは第２の導電層で構成されている。
【０１７５】
隣接するＤ（ｋ）番目の第２の配線部１７ｂとＤ（ｋ＋１）番目の第２の配線部１７ｂのピッチはＰｄ２である。また同層にある第２の配線部１７ｂ、例えばＤ（ｋ）番目の第２の配線部１７ｂとＤ（ｋ＋２）番目の第２の配線部１７ｂのピッチは２ｘＰｄ２であり、Ｄ（ｋ＋１）番目の第２の配線部１７ｂとＤ（ｋ＋３）番目の第２の配線部１７ｂのピッチは２ｘＰｄ２である。
【０１７６】
外側接続部１７ｄは、第２の配線部１７ｂと外側配線１７ｅの接続位置にマトリクス領域Ｈの一辺に沿うように平行に所定の間隔Ｐｄｏで配置される。ここで、外側接続部１７ｄは２種類が配置されている。すなわち、第２の配線部１７ｂと外側配線１７ｅの配線材料が異なる場合は、外側接続部１７ｄは配線切り替え部として機能し、第２の配線部１７ｂと外側配線１７ｅが同一の配線材料である場合はダミーの外側接続部１７ｄｄとなる。ダミーの外側接続部１７ｄｄは極端な場合では設ける必要はない。本明細書では断りのない限り正規の外側接続部１７ｄとダミーの外側接続部１７ｄｄは区別していないが、第２の配線部１７ｂと外側配線１７ｅの構成に基づけば該当箇所の外側接続部が正規かダミーかは自ずと判ることは言うまでもない。
【０１７７】
外側配線１７ｅは、外側接続部１７ｄから端子Ｔの配列方向に、言い換えるとマトリクス領域Ｈの一辺に対して垂直な角度（角度θｄ３、図示せず）に屈曲せずに端子領域Ｔａに向かうように引き出されている。外側配線１７ｅは、図１６（ｃ）に示すように、第１の導電層がＰｄ３のピッチで繰り返した構造を有する。すなわちＤ（ｋ）番目、Ｄ（ｋ＋１）番目、Ｄ（ｋ＋２）番目、及びＤ（ｋ＋３）番目の外側配線１７ｅは、全て第１の導電層から構成されている。また、外側配線１７ｅは、その経路の途中で屈曲せずに端子Ｔの方向へ延伸されるため、その配置ピッチＰｄ３は端子Ｔの配列ピッチＰｉｃに対してＰｄ３＝Ｐｉｃとなる。
【０１７８】
ここで、第４の配線群Ｄのビデオ信号線１７の特徴とその好適な引き回しを説明する。第４の配線群Ｄにおいては、マトリクス領域Ｈの一辺に対して徐々に近づくように内側接続部１７ｃが配列されていることが特徴であり、以下にその理由及び効果を説明する。
【０１７９】
内側配線領域Ｉａにおいて、シート抵抗が異なる第１の導電層の配線と第２の導電層の配線を１組にして繰り返した配線とした場合に、隣接する２本のビデオ信号線１７同士の抵抗が大きく変わらないようにするためには、そのビデオ信号線１７を２等分する位置に内側接続部１７ｃを配置してそこで配線材料を切り替える必要がある。
【０１８０】
しかし、第４の配線群Ｄにおいては、ビデオ信号線１７と端子Ｔの位置調整は屈曲している第１の配線部１７ａが担っていること、及び内側配線領域Ｉａの配線距離に占める、マトリクス領域Ｈの一辺に対して９０°の角度の配線の割合が減少していくことから、内側接続部１７ｃの配置位置に工夫が必要である。言い換えると、内側接続部１７ｃの配置は単調な構成は適切ではなく、積極的に調整する必要があるのである。
【０１８１】
そこで、本実施形態のアクティブマトリクス基板２では、内側接続部１７ｃのマトリクス領域Ｈの一辺に沿った配置ピッチＰｄｉを、内側配線領域Ｉａのビデオ信号線１７の一方端のピッチＰｄに対してＰｄｉ＜Ｐｄになるように設定し、好適にはＰｄｉ＝Ｐｉｃとした。さらに、内側接続部１７ｃをマトリクス領域Ｈの一辺に徐々に１ピッチあたりΔｄだけ近づいていくように紙面右上方向の斜め線上に配列するようにした。こうすることにより、内側配線領域Ｉａの配線長の２等分する位置近傍に内側接続部１７ｃを配置することができ、条件を好適に調整した場合には第１の配線部１７ａと第２の配線部１７ｂを等長にすることができる。
【０１８２】
（第５の配線群Ｅのビデオ信号線１７）
次に、図１７〜図１８を参照して、第５の配線群Ｅのビデオ信号線１７について具体的に説明する。
【０１８３】
図１７は、図６に示した第５の配線群でのビデオ信号線を説明する図である。図１８（ａ）は、図１７のＸＶＩＩＩａ−ＸＶＩＩＩａ線断面図であり、図１８（ｂ）は、図１７のＸＶＩＩＩｂ−ＸＶＩＩＩｂ線断面図であり、図１８（ｃ）は、図１７のＸＶＩＩＩｃ−ＸＶＩＩＩｃ線断面図である。なお、図１７においては、図面の簡略化のために、第５の配線群Ｅのビデオ信号線１７と隣接する第４の配線群Ｄの１本のビデオ信号線１７以外のビデオ信号線１７の図示を省略している。
【０１８４】
図１７に示すように、第５の配線群Ｅにおいて、ビデオ信号線１７は紙面右上から左下に向かう配線されている。ビデオ信号線領域Ｓａは、シール材Ｓを境界としてマトリクス領域Ｈ寄りに位置する内側配線領域Ｉａと端子領域Ｔａ寄りに位置する外側配線領域Ｏａから構成されている。内側配線領域Ｉａには、マトリクス領域Ｈ側から順に第１の配線部１７ａ、内側接続部１７ｃ、及び第２の配線部１７ｂが設けられている。また、内側配線領域Ｉａの第２の配線部１７ｂと外側配線領域Ｏａの外側配線１７ｅとは外側接続部１７ｄで電気的に接続されている。したがって、第５の配線群Ｅのビデオ信号線１７の各々は、マトリクス領域Ｈ側から見て、第１の配線部１７ａ、内側接続部１７ｃ、第２の配線部１７ｂ、外側接続部１７ｄ、外側配線１７ｅ、及び端子Ｔの経路を有する。
【０１８５】
第１の配線部１７ａは、検査及び保護回路１５側であってマトリクス領域Ｈの一辺（紙面水平方向）に沿うように平行に所定のピッチ（配置間隔）Ｐｅの間隔で端子領域Ｔａに向かうように引き出され、またマトリクス領域Ｈの一辺に対して所定の角度θｅ１で引き出されている。
【０１８６】
第１の配線部１７ａは、図１８（ａ）に示すように、第２の導電層の配線部と第１の導電層の配線部が交互にＰｅ１のピッチで繰り返した構造を有する。すなわち、Ｅ（ｐ）番目の第１の配線部１７ａとＥ（ｐ＋２）番目の第１の配線部１７ａは第２の導電層で構成され、Ｅ（ｐ＋１）番目の第１の配線部１７ａとＥ（ｐ＋３）番目の第１の配線部１７ａは第１の導電層で構成されている。
【０１８７】
隣接するＥ（ｐ）番目の第１の配線部１７ａとＥ（ｐ＋１）番目の第１の配線部１７ａのピッチはＰｅ１である。また、同層に形成されている第１の配線部１７ａ、例えばＥ（ｐ）番目の第１の配線部１７ａとＥ（ｐ＋２）番目の第１の配線部１７ａのピッチは２ｘＰｅ１であり、Ｅ（ｐ＋１）番目の第１の配線部１７ａとＥ（ｐ＋３）番目の第１の配線部１７ａのピッチは２ｘＰｅ１である。
【０１８８】
内側接続部１７ｃは、第１の配線部１７ａと第２の配線部１７ｂの接続位置であってマトリクス領域Ｈの一辺から徐々に離れるように配置されている。内側接続部１７ｃのマトリクス領域Ｈの一辺に沿った配置ピッチはＰｅｉである。また内側配線領域Ｉａにあって隣接する２本のビデオ信号線１７の配線抵抗の均一化のために配線長を２等分する位置に内側接続部１７ｃが配置されている。すなわち、第１の配線部１７ａの配線長と第２の配線部１７ｂの配線長は同一である。
【０１８９】
第２の配線部１７ｂは、内側接続部１７ｃから端子領域Ｔａに向かうように引き出され、かつマトリクス領域Ｈの一辺に対して所定の角度θｅ２引き出される。第２の配線部１７ｂは、図１８（ｂ）に示すように、第２の導電層の配線部と第１の導電層の配線部が交互にＰｅ２のピッチで繰り返した構造を有する。そして、同一のビデオ信号線１７の経路上にある第１の配線部１７ａと第２の配線部１７ｂとはその配線材料が異なる。すなわち、Ｅ（ｐ）番目の第２の配線部１７ｂとＥ（ｐ＋２）番目の第２の配線部１７ｂは第１の導電層で構成され、Ｅ（ｐ＋１）番目の第２の配線部１７ｂとＥ（ｐ＋３）番目の第２の配線部１７ｂは第２の導電層で構成されている。
【０１９０】
隣接するＥ（ｐ）番目の第２の配線部１７ｂとＥ（ｐ＋１）番目の第２の配線部１７ｂのピッチはＰｅ２である。また同層にある第２の配線部１７ｂ、例えばＥ（ｐ）番目の第２の配線部１７ｂとＥ（ｐ＋２）番目の第２の配線部１７ｂのピッチは２ｘＰｅ２であり、Ｅ（ｐ＋１）番目の第２の配線部１７ｂとＥ（ｐ＋３）番目の第２の配線部１７ｂのピッチは２ｘＰｅ２である。
【０１９１】
外側接続部１７ｄは、第２の配線部１７ｂと外側配線１７ｅの接続位置にマトリクス領域Ｈの一辺に沿うように平行に所定の間隔Ｐｅｏで配置される。ここで、外側接続部１７ｄは２種類が配置されている。すなわち、第２の配線部１７ｂと外側配線１７ｅの配線材料が異なる場合は、外側接続部１７ｄは配線切り替え部として機能し、第２の配線部１７ｂと外側配線１７ｅが同一の配線材料である場合はダミーの外側接続部１７ｄｄとなる。ダミーの外側接続部１７ｄｄは極端な場合では設ける必要はない。本明細書では断りのない限り正規の外側接続部１７ｄとダミーの外側接続部１７ｄｄは区別していないが、第２の配線部１７ｂと外側配線１７ｅの構成に基づけば該当箇所の外側接続部が正規かダミーかは自ずと判ることは言うまでもない。
【０１９２】
外側配線１７ｅは、外側接続部１７ｄから端子Ｔの配列方向に、言い換えるとマトリクス領域Ｈの一辺に対して垂直な角度（角度θｅ３、図示せず）に屈曲せずに端子領域Ｔａに向かうように引き出されている。外側配線１７ｅは、図１８（ｃ）に示すように、第１の導電層がＰｅ３のピッチで繰り返した構造を有する。すなわちＥ（ｐ）番目、Ｅ（ｐ＋１）番目、Ｅ（ｐ＋２）番目、及びＥ（ｐ＋３）番目の外側配線１７ｅは、全て第１の導電層から構成されている。また、外側配線１７ｅは、その経路の途中で屈曲せずに端子Ｔの方向へ延伸されるため、その配置ピッチＰｅ３は端子の配列ピッチＰｉｃに対してＰｅ３＝Ｐｉｃとなる。つまり、第５の配線群Ｅにおいては、ビデオ信号線１７を端子Ｔへ接続させるための位置調整を、外側配線１７ｅではなくて第２の配線部１７ｂが屈曲することによって担っている。
【０１９３】
ここで、第５の配線群Ｅのビデオ信号線１７の特徴とその好適な引き回しを説明する。第５の配線群Ｅにおいては、マトリクス領域Ｈの一辺に対して徐々に離れるように内側接続部１７ｃが配列されていることが特徴であり、以下にその理由及び効果を説明する。
【０１９４】
内側配線領域Ｉａにおいて、シート抵抗が異なる第１の導電層の配線と第２の導電層の配線を１組にして繰り返した配線とした場合に、隣接する２本のビデオ信号線１７同士の抵抗が大きく変わらないようにするためには、そのビデオ信号線１７を２等分する位置に内側接続部１７ｃを配置してそこで配線材料を切り替える必要がある。
【０１９５】
しかし、第５の配線群Ｅにおいては、ビデオ信号線１７と端子Ｔの位置調整は屈曲している第２の配線部１７ｂが担っていること、及び内側配線領域Ｉａの配線距離が徐々に長くなっていくことから内側接続部１７ｃの配置位置に工夫が必要である。言い換えると、内側接続部１７ｃの配置は単調な構成は適切ではなく、積極的に調整する必要があるのである。
【０１９６】
そこで、本実施形態のアクティブマトリクス基板２では、内側接続部１７ｃのマトリクス領域Ｈの一辺に沿った配置ピッチＰｅｉを、内側配線領域Ｉａのビデオ信号線１７の一方端のピッチＰｅに対してＰｅｉ＜Ｐｅになるように設定した。さらに、内側接続部１７ｃをマトリクス領域Ｈの一辺から徐々に１ピッチあたりΔｅだけ離れていくように紙面右下方向の斜め線上に配列するようにした。こうすることにより、内側配線領域Ｉａの配線長の２等分する位置近傍に内側接続部１７ｃを配置することができ、条件を好適に調整した場合には第１の配線部１７ａと第２の配線部１７ｂを等長にすることができる。
【０１９７】
好適な引き回しとするためには、第１の配線部１７ａの延伸方向である角度θｅ１に関して、第４の配線群Ｄの第１の配線部１７ａの延伸方向である角度θｄ１との間に、θｅ１＝θｄ１であると良い。これによって、第５の配線群Ｅのビデオ信号線１７の延伸方向が隣接している第４の配線群Ｄのビデオ信号線１７と干渉することがなくなる。
【０１９８】
第５の配線群Ｅにおいては、第１の配線部１７ａの延伸方向である角度θｅ１はその配線ピッチＰｅ１と引き出しピッチＰｅ２で決まる。第２の配線部１７ｂの延伸方向である角度θｅ２はその配線ピッチＰｅ２と引き出しピッチＰｅ及びΔｅとで決まる。第１の配線部１７ａと第２の配線部１７ｂの断面構造と配線材料が同一であるとみなせることから、第１の配線部１７ａの配線ピッチＰｅ１と第２の配線部１７ｂの配線ピッチＰｅ２の関係はＰｅ１＝Ｐｅ２と言える。したがって、角度θｅ１と角度θｅ２を同一とするためにはＰｅ＞Ｐｅｉとすることが最も好ましい。
【０１９９】
（第１〜第５の配線群の最適化）
上記のとおり、第１〜第５の各配線群Ａ〜Ｅのビデオ信号線１７を説明したが、第１〜第５の配線群Ａ〜Ｅのビデオ信号線１７が集合して扇状のビデオ信号線１７の半分をなすので、集合体となることを踏まえた最適化が必要である。最適化は以下の事項（１）、（２）、（３）、（４）、（５）及び（６）により実現される。また外側配線１７ｅの好適例は事項（７）で実現される。
【０２００】
事項（１）
第１の配線部１７ａと第２の配線部１７ｂに関して、第１の配線部１７ａの抵抗と第２の配線部１７ｂの抵抗の合計抵抗が任意の番号のビデオ信号線１７と隣接するビデオ信号線１７とで大きく変わらず、また狭ピッチの内側配線領域Ｉａを構成するためには、内側接続部１７ｃを適切に配置する必要がある。
【０２０１】
すなわち、第１の配線群Ａにおいては、内側接続部１７ｃをマトリクス領域Ｈの一辺に平行になるように配列させる。
【０２０２】
また、第２の配線群Ｂにおいては、内側接続部１７ｃをマトリクス領域Ｈに徐々に近づくようにマトリクス領域Ｈの一辺に対して所定の角度で配列させる。
【０２０３】
また、第３の配線群Ｃにおいては、内側接続部１７ｃをマトリクス領域Ｈから徐々に離れるようにマトリクス領域Ｈの一辺に対して所定の角度で配列させる。
【０２０４】
また、第４の配線群Ｄにおいては、内側接続部１７ｃをマトリクス領域Ｈに徐々に近づくようにマトリクス領域Ｈの一辺に対して所定の角度で配列させる。
【０２０５】
また、第５の配線群Ｅにおいては、内側接続部１７ｃをマトリクス領域Ｈから徐々に離れるようにマトリクス領域Ｈの一辺に対して所定の角度で配列させる。
【０２０６】
以上の構成により、第１〜第５の配線群Ａ〜Ｅが互いにそのビデオ信号線１７の配線形態が異なっていても、内側配線領域Ｉａの配線長を２等分する位置に内側接続部１７ｃを配置することができる。
【０２０７】
事項（２）
内側配線領域Ｉａのビデオ信号線１７は、第１の配線部１７ａと内側接続部１７ｃと第２の配線部１７ｂからなる。したがって、最短で効率のよい配線とするためには、まず第１〜第３の配線群Ａ〜Ｃのいずれのビデオ信号線１７においても、第１の配線部１７ａの延伸方向と第２の配線部１７ｂの延伸方向が内側接続部１７ｃ近傍で同一であり、また第４及び第５の配線群Ｄ及びＥのいずれのビデオ信号線１７においても、第１の配線部１７ａの延伸方向と第２の配線部１７ｂの延伸方向が内側接続部１７ｃ近傍で同一であることが良い。
【０２０８】
すなわち、第１の配線群Ａにおいて、マトリクス領域Ｈの一辺に平行に配列しているビデオ信号線１７の一方端の配置間隔をＰａとし、またマトリクス領域Ｈの一辺に平行に配列している内側接続部１７ｃの配置間隔をＰａｉとした場合に、Ｐａ＝Ｐａｉとする。
【０２０９】
また、第２の配線群Ｂにおいて、マトリクス領域Ｈの一辺に平行に配列しているビデオ信号線１７の一方端の配置間隔をＰｂとし、またマトリクス領域Ｈの一辺に平行に配列している内側接続部１７ｃの配置間隔をＰｂｉとした場合に、Ｐｂ＞Ｐｂｉとする。
【０２１０】
また、第３の配線群Ｃにおいて、マトリクス領域Ｈの一辺に平行に配列しているビデオ信号線１７の一方端の配置間隔をＰｃとし、またマトリクス領域Ｈの一辺に平行に配列している内側接続部１７ｃの配置間隔をＰｃｉとし、また端子領域Ｔａにおいてマトリクス領域Ｈの一辺に平行に配列している端子Ｔの配置間隔をＰｉｃとした場合に、Ｐｃ＞Ｐｃｉ＝Ｐｉｃとする。
【０２１１】
また、第４の配線群Ｄにおいて、マトリクス領域Ｈの一辺に平行に配列しているビデオ信号線１７の一方端の配置間隔をＰｄとし、またマトリクス領域Ｈの一辺に平行に配列している内側接続部１７ｃの配置間隔をＰｄｉとし、また端子領域Ｔａにおいてマトリクス領域Ｈの一辺に平行に配列している端子Ｔの配置間隔をＰｉｃとした場合に、Ｐｄ＞Ｐｄｉ＝Ｐｉｃとする。
【０２１２】
また、第５の配線群Ｅにおいて、マトリクス領域Ｈの一辺に平行に配列しているビデオ信号線１７の一方端の配置間隔をＰｅとし、またマトリクス領域Ｈの一辺に平行に配列している内側接続部１７ｃの配置間隔をＰｅｉとした場合に、Ｐｅ＞Ｐｅｉとする。
【０２１３】
上記に加えて、第１〜第３の配線群Ａ〜Ｃのいずれのビデオ信号線１７においても、検査及び保護回路１５から同じ方向へ平行に引き出され、また第４及び第５の配線群Ｄ及びＥのいずれのビデオ信号線１７においても、検査及び保護回路１５から同じ方向へ平行に引き出されることが良い。
【０２１４】
すなわち、Ｐａ＝Ｐｂ＝Ｐｃ、Ｐｄ＝Ｐｅとする。
【０２１５】
具体的には、内側配線領域Ｉａのビデオ信号線１７を構成する材料は第１〜第５の配線群Ａ〜Ｅのビデオ信号線１７のいずれにおいても、第１の導電層と第２の導電層の２つである。したがって、いずれのビデオ信号線１７においても内側配線領域Ｉａの配線幅およびスペーシング（ピッチ）を同一とすることができる。したがって、Ｐａ＝Ｐｂ＝Ｐｃとすることによって第１〜第３の配線群Ａ〜Ｃのビデオ信号線１７の検査及び保護回路１５からの引き出し方向が揃う。また、Ｐｄ＝Ｐｅとすることによって第４及び第５の配線群Ｄ及びＥのビデオ信号線１７の検査及び保護回路１５からの引き出し方向が揃う。
【０２１６】
以上をまとめると、第１〜第３の配線群Ａ〜Ｃに関しては以下の（１）式〜（４）式及び（１０）式を満足すればよい。  
Ｐａ  ＝  Ｐａｉ                          ―――（１）
Ｐｂ  ＞  Ｐｂｉ                          ―――（２）
Ｐｃ  ＞  Ｐｃｉ                          ―――（３）
Ｐａ  ＝  Ｐｂ  ＝  Ｐｃ                  ―――（４）
Ｐｃｉ  ＝  Ｐｉｃ                        ―――（１０）
【０２１７】
また、第４及び第５の配線群Ｄ及びＥに関しては以下の（イ）式〜（ハ）式を満足すればよい。
Ｐｄ＞Ｐｄｉ＝Ｐｉｃ                      ―――（イ）
Ｐｅ＞Ｐｅｉ                              ―――（ロ）
Ｐｄ＝Ｐｅ                                ―――（ハ）
【０２１８】
事項（３）
内側接続部１７Ｃの近傍にて第１の配線部１７ａと第２の配線部１７ｂの延伸方向を揃えることができた場合は、さらに第１〜第３の配線群Ａ〜Ｃの第１の配線部１７ａの各延伸方向が各々揃い、第４及び第５の配線群Ｄ及びＥの第１の配線部１７ａの各延伸方向が各々揃うとより好ましい。
【０２１９】
すなわち、第１の配線群Ａにおいて、マトリクス領域Ｈの一辺に対するビデオ信号線１７の第１の配線部１７ａの延伸方向である角度をθａ１とし、またマトリクス領域Ｈの一辺に対するビデオ信号線１７の第２の配線部１７ｂの延伸方向である角度をθａ２とする。
【０２２０】
また、第２の配線群Ｂにおいて、マトリクス領域Ｈの一辺に対するビデオ信号線１７の第１の配線部１７ａの延伸方向である角度をθｂ１とし、またマトリクス領域Ｈの一辺に対するビデオ信号線１７の第２の配線部１７ｂの延伸方向である角度をθｂ２とする。
【０２２１】
また、第３の配線群Ｃにおいて、マトリクス領域Ｈの一辺に対するビデオ信号線１７の第１の配線部１７ａの延伸方向である角度θｃ１とし、またマトリクス領域Ｈの一辺に対するビデオ信号線１７の第２の配線部１７ｂの延伸方向である角度をθｃ２とした場合に以下の（５）式及び（６）式を満足すればよい。
θａ１  ＝  θｂ１  ＝  θｃ１  ＝θａ２  ＝θｂ２―――（５）
θｃ２  ＝  ９０°                                ―――（６）
【０２２２】
こうすることにより第１〜第３の配線群Ａ〜Ｃの内側配線領域Ｉａのビデオ信号線１７が互いに平行に延伸できるため、引き回しのレイアウトの効率を容易に改善できる。
【０２２３】
さらに、第４の配線群Ｄにおいて、マトリクス領域Ｈの一辺に対するビデオ信号線１７の第１の配線部１７ａの延伸方向である角度をθｄ１とし、またマトリクス領域Ｈの一辺に対するビデオ信号線１７の第２の配線部１７ｂの延伸方向である角度をθｄ２とする。
【０２２４】
また、第５の配線群Ｅにおいて、マトリクス領域Ｈの一辺に対するビデオ信号線１７の第１の配線部１７ａの延伸方向である角度をθｅ１とし、またマトリクス領域Ｈの一辺に対するビデオ信号線１７の第２の配線部１７ｂの延伸方向である角度をθｅ２とした場合に以下の（ニ）式及び（ホ）式を満足すればよい。
θｄ１＝θｅ１＝θｅ２                            ―――（ニ）
θｄ２  ＝  ９０°                                ―――（ホ）
【０２２５】
こうすることにより第４及び第５の配線群Ｄ及びＥの内側配線領域Ｉａのビデオ信号線１７が互いに平行に延伸できるため、引き回しのレイアウトの効率を容易に改善できる。
【０２２６】
事項（４）
上記により、内側配線領域Ｉａのビデオ信号線１７が互いに平行に延伸できることから、第１〜第３の配線群Ａ〜Ｃの各間の領域を大きく確保する必要はない。
【０２２７】
すなわち、第１の配線群Ａと第２の配線群Ｂの境界において、マトリクス領域Ｈの一辺に平行に配列しているビデオ信号線１７の一方端の配置間隔をＰａｂとする。
【０２２８】
また、第２の配線群Ｂと第３の配線群Ｃの境界において、マトリクス領域Ｈの一辺に平行に配列しているビデオ信号線１７の一方端の配置間隔をＰｂｃとした場合に、以下の（７）式を満足すればよい。
Ｐａ  ＝  Ｐａｂ  ＝  Ｐｂ  ＝  Ｐｂｃ  ＝  Ｐｃ―――（７）
【０２２９】
こうすることにより、第１及び第２の配線群Ａ及びＢの境界と第２及び第３の配線群Ｂ及びＣの境界とにおいて、不要な空きスペースが生じるのを防ぐことができる。
【０２３０】
また、第４及び第５の配線群Ｄ及びＥの間の領域を大きく確保する必要はない。
【０２３１】
すなわち、第４の配線群Ｄと第５の配線群Ｅの境界において、マトリクス領域Ｈの一辺に平行に配列しているビデオ信号線１７の一方端の配置間隔をＰｄｅとした場合に、以下の（ヘ）式を満足すればよい。
Ｐｄ＝Ｐｄｅ＝Ｐｅ                              ―――（ヘ）
【０２３２】
こうすることにより第４及び第５の配線群Ｄ及びＥの境界において、不要な空きスペースが生じるのを防ぐことができる。
【０２３３】
事項（５）
第１の配線群Ａと第２の配線群Ｂの境界において、マトリクス領域Ｈの一辺に平行に配列している内側接続部１７ｃの配置間隔をＰａｂｉとした場合に以下の（８）式を満足すればよい。
Ｐａｉ≠Ｐａｂｉ≠Ｐｂｉ                          ―――（８）
【０２３４】
Ｐａｉ＞Ｐｂｉであるが、第１の配線群Ａと第２の配線群Ｂの位置関係によっては、Ｐａｉ＝Ｐａｂｉとしたり、Ｐａｂｉ＝Ｐｂｉとしたりすることが不都合となる場合がある。しかしながら、上記のように内側接続部１７ｃの位置調整のために、Ｐａｉ≠Ｐａｂｉ≠Ｐｂｉの関係として意図的に独立した寸法のＰａｂｉを設ける。好適にはＰａｉ＞Ｐａｂｉ＞Ｐｂｉとする。こうすることによって、引き回しの自由度を確保できる効果を奏する。
【０２３５】
事項（６）
第２の配線群Ｂと第３の配線群Ｃの境界において、マトリクス領域Ｈの一辺に対する内側接続部１７ｃの配置間隔をＰｂｃｉとした場合に以下の（９）式を満足すればよい。
Ｐｂｉ≠Ｐｂｃｉ≠Ｐｃｉ                          ―――（９）
【０２３６】
Ｐｂｉ＞Ｐｃｉであるが、第２の配線群Ｂと第３の配線群Ｃの位置関係によっては、Ｐｂｉ＝Ｐｂｃｉとしたり、Ｐｂｃｉ＝Ｐｃｉとしたりすることが不都合となる場合がある。しかしながら、上記のように内側接続部１７ｃの位置調整のために、Ｐｂｉ≠Ｐｂｃｉ≠Ｐｃｉの関係として意図的に独立した寸法のＰｂｃｉを設ける。好適にはＰｂｉ＞Ｐｂｃｉ＞Ｐｃｉとする。こうすることによって、引き回しの自由度を確保できる効果を奏する。
【０２３７】
なお、同様のことは第４の配線群Ｄと第５の配線群Ｅの境界でも適用することができる。
【０２３８】
すなわち、第４の配線群Ｄと第５の配線群Ｅの境界において、マトリクス領域Ｈの一辺に対する内側接続部１７ｃの配置間隔をＰｄｅｉとした場合に以下の（ト）式を満足すればよい。
Ｐｄｉ≠Ｐｄｅｉ≠Ｐｅｉ                          ―――（ト）
【０２３９】
Ｐｄｉ＜Ｐｅｉであるが、第４の配線群Ｄと第５の配線群Ｅの位置関係によっては、Ｐｄｉ＝Ｐｄｅｉとしたり、Ｐｄｅｉ＝Ｐｅｉとしたりすることが不都合となる場合がある。しかしながら、上記のように内側接続部１７ｃの位置調整のために、Ｐｄｉ≠Ｐｄｅｉ≠Ｐｅｉの関係として意図的に独立した寸法のＰｄｅｉを設ける。好適にはＰｄｉ＜Ｐｄｅｉ＜Ｐｅｉとする。こうすることによって、引き回しの自由度を確保できる効果を奏する。
【０２４０】
事項（７）
ビデオ信号線領域Ｓａにおいては、第１及び第２の配線部１７ａ及び１７ｂを有する内側配線部と外側配線１７ｅを有する外側配線部とを備えた一方のビデオ信号線１７と、一方のビデオ信号線１７に隣接して延伸しており、第１及び第２の配線部１７ａ及び１７ｂを有する内側配線部と外側接続部１７ｄと外側配線１７ｅを有する外側配線部とを備えた他方のビデオ信号線１７とが交互に繰り返されており、さらには当該外側接続部１７ｄが第１〜第３の配線群Ａ〜Ｃのいずれにおいても、端子Ｔが形成されているアクティブマトリクス基板２の一辺に平行になるように配列していると良い。こうすることによって外側接続部１７ｄの上部に形成されるシール材Ｓを単純な直線とすることができ、したがってシール材Ｓの形成が容易となる。
【０２４１】
ビデオ信号線領域Ｓａにおいては、第１及び第２の配線部１７ａ及び１７ｂを有する内側配線部と外側配線１７ｅを有する外側配線部とを備えた一方のビデオ信号線１７と、一方のビデオ信号線１７に隣接して延伸しており、第１及び第２の配線部１７ａ及び１７ｂを有する内側配線部と外側接続部１７ｄと外側配線１７ｅを有する外側配線部とを備えた他方のビデオ信号線１７とが交互に繰り返されており、さらには当該外側接続部１７ｄが第４及び第５の配線群Ｄ及びＥのいずれにおいても、端子Ｔが形成されているアクティブマトリクス基板２の一辺に平行になるように配列していると良い。こうすることによって外側接続部１７ｄの上部に形成されるシール材Ｓを単純な直線とすることができ、したがってシール材Ｓの形成が容易となる。
【０２４２】
すなわち、上述のように、第１〜第５の配線群Ａ〜Ｅに係る外側接続部１７ｄが、端子Ｔが形成されているアクティブマトリクス基板２の一辺に平行になるように配列していると良い。こうすることによって外側接続部１７ｄの上部に形成されるシール材Ｓを液晶表示装置１の一辺のほぼ全てにわたって単純な直線とすることができ、したがってシール材Ｓの形成が最も容易となる。
【０２４３】
（第６〜第１０の配線群Ｅｙ〜Ａｙ）
次に、図１９も参照して、第６〜第１０の配線群Ｅｙ〜Ａｙについても具体的に説明する。
【０２４４】
図１９は、上記アクティブマトリクス基板でのビデオ信号線の並びと配線構造を説明するための平面図である。
【０２４５】
上述したように、「第１の配線群Ａ」のようにｙが無いものと、「第１０の配線群Ａｙ」のようにｙが有るものとは、図１９の紙面でのＹ軸Ｏに関して対称な位置関係にある配線であることを意味している。第２の配線群Ｂと第９の配線群Ｂｙ、第３の配線群Ｃと第８の配線群Ｃｙ、第４の配線群Ｄと第７の配線群Ｄｙ、及び第５の配線群Ｅと第６の配線群Ｅｙのいずれも同様である。
【０２４６】
したがって、これら第１〜第１０の配線群Ａ〜Ａｙは、紙面左側から見て、第１の配線群Ａ、第２の配線群Ｂ、第３の配線群Ｃ、第４の配線群Ｄ、第５の配線群Ｅ、第６の配線群Ｅｙ、第７の配線群Ｄｙ、第８の配線群Ｃｙ、第９の配線群Ｂｙ、及び第１０の配線群Ａｙの順で配置されている。
【０２４７】
本実施形態のアクティブマトリクス基板２においては、内側配線領域Ｉａの第１の配線部１７ａと第２の配線部１７ｂの配線材料を所定の導電層（金属膜）で形成している。図１９においては、第２の導電層（上層金属膜）を”Ｕ”、第１の導電層（下層金属膜）を”Ｌ”の記号で抽象化して図示している。したがって、図１９において、”ＵＬ”とある場合は、マトリクス領域Ｈ（検査及び保護回路１５）側から見て、第１の配線部１７ａは第２の導電層で形成され、第２の配線部１７ｂは第１の導電層で形成されていることを示している。また、図１９において、”ＬＵ”とある場合は、マトリクス領域Ｈ（検査及び保護回路１５）側から見て、第１の配線部１７ａは第１の導電層で形成され、第２の配線部１７ｂは第２の導電層で形成されていることを示している。
【０２４８】
なお、図１９に示す構成では、ｍ番目のビデオ信号線１７と（ｍ＋１）番目のビデオ信号線１７はその構造がともに”ＬＵ”である。つまり、第１の配線部１７ａはともに第１の導電層であり、第２の配線部１７ｂはともに第２の導電層である。このように内側配線領域Ｉａであっても同一配線区間が同一材料でもよい理由は、ｍ番目のビデオ信号線１７と（ｍ＋１）番目のビデオ信号線１７が平行で延伸されず、したがって、それらの配線間距離が広いためであり、必ずしも異物などによる配線間のショートの懸念が少ないためである。
【０２４９】
以上のように構成された本実施形態のアクティブマトリクス基板２では、複数のビデオ信号線（信号線）１７がマトリクス領域Ｈと端子領域Ｔａとの間で、マトリクス領域Ｈから端子領域Ｔａに向かう方向で配線ピッチが小さくなるように設定された内側配線領域（配線領域）Ｉａに配線されている。また、複数の各ビデオ信号線１７は、マトリクス領域Ｈ側及び端子領域Ｔａ側にそれぞれ設けられた第１及び第２の配線部１７ａ及び１７ｂと、第１及び第２の配線部１７ａ及び１７ｂを接続する内側接続部（接続部）１７ｃを有している。また、複数のビデオ信号線１７では、隣接する２本の一方のビデオ信号線１７の第１及び第２の配線部１７ａ及び１７ｂが互いに異なる第１及び第２の導電層によりそれぞれ構成され、かつ、他方のビデオ信号線１７の第１及び第２の配線部１７ａ及び１７ｂが第２及び第１の導電層によりそれぞれ構成されている。さらに、複数の各ビデオ信号線１７では、そのビデオ信号線１７の配線領域での配線位置に応じて、当該ビデオ信号線１７の内側接続部１７ｃの位置が定められている。これにより、本実施形態では、上記従来例と異なり、配線ピッチが小さくなるように配線された複数のビデオ信号線１７において、シート抵抗が異なる２つの導電層を用いた場合でも、隣接する２本のビデオ信号線１７での抵抗変化が小さいアクティブマトリクス基板２を構成することができる。
【０２５０】
また、本実施形態では、複数のビデオ信号線１７が上述したように扇状に配線されているので、アクティブマトリクス基板２の額縁を小さくすることができ、例えばマザー基板から切り出すことができるアクティブマトリクス基板２の数を増やして、アクティブマトリクス基板２ひいては液晶表示装置１の製造コストを下げることができる。また、このような液晶表示装置１を使った表示装置や電子機器を小型化したり、軽量化させたりすることができる。
【０２５１】
また、本実施形態のアクティブマトリクス基板２では、同じ寸法の額縁に対して、よりきつい扇状の引き回しを形成することができるので、例えば検査及び保護回路１５に対して小型のドライバＩＣを適用させることができる。したがって、より安価なドライバＩＣを使うことができる、その結果、アクティブマトリクス基板２及び液晶表示装置１のコストを下げることができる。
【０２５２】
また、本実施形態では、配線ピッチが小さくなるように配線された複数のビデオ信号線１７において、シート抵抗が異なる２つの第１及び第２の導電層を用いた場合でも、隣接する２本のビデオ信号線１７での抵抗変化が小さいアクティブマトリクス基板２が用いられているので、優れた表示品位を有するコンパクトな液晶表示装置（表示装置）１を容易に構成することができる。
【０２５３】
［変形例１］
図２０は、上記アクティブマトリクス基板でのビデオ信号線の並びと配線構造の変形例１を説明するための平面図である。
【０２５４】
図において、本変形例１と上記第１の実施形態との主な相違点は、Ｙ軸に対称な一対の第１〜第５の各配線群において、一方及び他方の配線群での第１及び第２の配線部を構成する導電層を互いに異ならせた点である。なお、上記第１の実施形態と共通する要素については、同じ符号を付して、その重複した説明を省略する。
【０２５５】
すなわち、図２０において、本変形例１のアクティブマトリクス基板２では、紙面左側から見て、第１の配線群Ａ、第２の配線群Ｂ、第３の配線群Ｃ、第４の配線群Ｄ、第５の配線群Ｅ、第６の配線群Ｅ’ｙ、第７の配線群Ｄ’ｙ、第８の配線群Ｃ’ｙ、第９の配線群Ｂ’ｙ、及び第１０の配線群Ａ’ｙの順で配置されている。
【０２５６】
また、上述したように、「第１の配線群Ａ」のようにｙが無いものと、「第１０の配線群Ａ’ｙ」のようにｙが有るものとは、図２０の紙面でのＹ軸Ｏに関して対称な位置関係にある配線であることを意味している。第２の配線群Ｂと第９の配線群Ｂ’ｙ、第３の配線群Ｃと第８の配線群Ｃ’ｙ、第４の配線群Ｄと第７の配線群Ｄ’ｙ、及び第５の配線群Ｅと第６の配線群Ｅ’ｙのいずれも同様である。
【０２５７】
また、第１０の配線群Ａ’ｙのように「’」の記号が添えられているものは、「’」の記号が有る配線群と「’」の記号が無い配線群とを比べた場合に、内側配線領域Ｉａの第１の配線部１７ａと第２の配線部１７ｂの配線材料が置き換わっていることを示す。
【０２５８】
すなわち、第１の配線群Ａにおいて内側配線領域Ｉａの第１の配線部１７ａが第２の導電層で形成され、第２の配線部１７ｂが第１の導電層で形成されている場合、Ｙ軸Ｏに対称な位置関係にある第１０の配線群Ａ’ｙにおいては内側配線領域Ｉａの第１の配線部１７ａは第１の導電層で形成され、第２の配線部１７ｂは第２の導電層で形成されている。
【０２５９】
図２０に示した構成においては、ｍ番目のビデオ信号線１７と（ｍ＋１）番目のビデオ信号線１７との配線構造は、その内側配線領域Ｉａにて配線材料が同一材料で平行して延伸していない。したがって、第５の配線群Ｅと第６の配線群Ｅ’ｙが近接していても、異物による配線同士の短絡を抑制することができる。
【０２６０】
以上の構成により、本変形例１では、上記第１の実施形態と同様な作用・効果を奏することができる。
【０２６１】
［変形例２］
図２１は、上記アクティブマトリクス基板でのビデオ信号線の並びと配線構造の変形例２を説明するための平面図である。
【０２６２】
図において、本変形例２と上記第１の実施形態との主な相違点は、第４及び第５の配線群の設置を省略して、Ｙ軸に対称な一対の第１〜第３の配線群を設けた点である。なお、上記第１の実施形態と共通する要素については、同じ符号を付して、その重複した説明を省略する。
【０２６３】
すなわち、図２１において、本変形例２のアクティブマトリクス基板２では、紙面左側から見て、第１の配線群Ａ、第２の配線群Ｂ、第３の配線群Ｃ、第８の配線群Ｃ’ｙ、第９の配線群Ｂ’ｙ、及び第１０の配線群Ａ’ｙの順で配置されている。
【０２６４】
また、上述したように、「第１の配線群Ａ」のようにｙが無いものと、「第１０の配線群Ａ’ｙ」のようにｙが有るものとは、図２１の紙面でのＹ軸Ｏに関して対称な位置関係にある配線であることを意味している。第２の配線群Ｂと第９の配線群Ｂ’ｙ、及び第３の配線群Ｃと第８の配線群Ｃ’ｙのいずれも同様である。
【０２６５】
また、第１０の配線群Ａ’ｙのように「’」の記号が添えられているものは、「’」の記号が有る配線群と「’」の記号が無い配線群とを比べた場合に、内側配線領域Ｉａの第１の配線部１７ａと第２の配線部１７ｂの配線材料が置き換わっていることを示す。
【０２６６】
すなわち、第１の配線群Ａにおいて内側配線領域Ｉａの第１の配線部１７ａが第２の導電層で形成され、第２の配線部１７ｂが第１の導電層で形成されている場合、Ｙ軸Ｏに対称な位置関係にある第１０の配線群Ａ’ｙにおいては内側配線領域Ｉａの第１の配線部１７ａは第１の導電層で形成され、第２の配線部１７ｂは第２の導電層で形成されている。
【０２６７】
以上の構成により、本変形例２では、上記第１の実施形態と同様な作用・効果を奏することができる。
【０２６８】
［変形例３］
図２２は、上記アクティブマトリクス基板でのビデオ信号線の並びと配線構造の変形例３を説明するための平面図である。
【０２６９】
図において、本変形例３と上記第１の実施形態との主な相違点は、２個のデータドライバを用いた点である。なお、上記第１の実施形態と共通する要素については、同じ符号を付して、その重複した説明を省略する。
【０２７０】
すなわち、図２２において、本変形例３のアクティブマトリクス基板２では、１つの検査及び保護回路１５に対して、２個のドライバＩＣ１００が設けられている。それ故、ビデオ信号線１７の配線群は、図２２に示すように、２つの扇状の引き回しとなる。
【０２７１】
具体的にいえば、本変形例３のアクティブマトリクス基板２では、紙面左側から見て、第１の配線群Ａ、第２の配線群Ｂ、第３の配線群Ｃ、第８の配線群Ｃ’ｙ、第９の配線群Ｂ’ｙ、及び第１０の配線群Ａ’ｙの順で、検査及び保護回路１５と左側のドライバＩＣ１００との間に配置されている。また、第１の配線群Ａ’、第２の配線群Ｂ’、第３の配線群Ｃ’、第８の配線群Ｃｙ、第９の配線群Ｂｙ、及び第１０の配線群Ａｙの順で、検査及び保護回路１５と右側のドライバＩＣ１００との間に配置されている。
【０２７２】
また、上述したように、「第１の配線群Ａ」のようにｙが無いものと、「第１０の配線群Ａ’ｙ」のようにｙが有るものとは、図２２の紙面でのＹ軸Ｏ１に関して対称な位置関係にある配線であることを意味している。第２の配線群Ｂと第９の配線群Ｂ’ｙ、及び第３の配線群Ｃと第８の配線群Ｃ’ｙのいずれも同様である。同様に、「第１の配線群Ａ’」のようにｙが無いものと、「第１０の配線群Ａｙ」のようにｙが有るものとは、図２２の紙面でのＹ軸Ｏ２に関して対称な位置関係にある配線であることを意味している。第２の配線群Ｂ’と第９の配線群Ｂｙ、及び第３の配線群Ｃ’と第８の配線群Ｃｙのいずれも同様である。
【０２７３】
また、第１０の配線群Ａ’ｙのように「’」の記号が添えられているものは、「’」の記号が有る配線群と「’」の記号が無い配線群とを比べた場合に、内側配線領域Ｉａの第１の配線部１７ａと第２の配線部１７ｂの配線材料が置き換わっていることを示す。
【０２７４】
すなわち、第１の配線群Ａにおいて内側配線領域Ｉａの第１の配線部１７ａが第２の導電層で形成され、第２の配線部１７ｂが第１の導電層で形成されている場合、Ｙ軸Ｏ１に対称な位置関係にある第１０の配線群Ａ’ｙにおいては内側配線領域Ｉａの第１の配線部１７ａは第１の導電層で形成され、第２の配線部１７ｂは第２の導電層で形成されている。
【０２７５】
以上の構成により、本変形例３では、上記第１の実施形態と同様な作用・効果を奏することができる。
【０２７６】
［変形例４］
図２３は、上記アクティブマトリクス基板でのビデオ信号線の並びと配線構造の変形例４を説明するための平面図である。
【０２７７】
図において、本変形例４と上記第１の実施形態との主な相違点は、検査及び保護回路に対して、データドライバを偏らせて配置した点である。なお、上記第１の実施形態と共通する要素については、同じ符号を付して、その重複した説明を省略する。
【０２７８】
すなわち、図２３において、本変形例４のアクティブマトリクス基板２では、検査及び保護回路１５に対してドライバＩＣ１００の位置が大きく紙面右側へ偏っている。また、図２３に示すように、本変形例４のアクティブマトリクス基板２では、紙面左側から見て、第１の配線群Ａ、第２の配線群Ｂ、及び第３の配線群Ｃの順で配置されている。
【０２７９】
検査及び保護回路１５に対するドライバＩＣ１００の位置は当業者の設計事項であるが、扇状に複数のビデオ信号線１７を引き回す構成においては、図２３に示したように、少なくとも第１〜第３の配線群Ａ〜Ｃの３種類が必要である。本明細書で説明したビデオ信号線１７は、検査及び保護回路１５に対するドライバＩＣ１００の位置に制約を受けるものではない。したがって、本明細書では、複数のビデオ信号線１７は、配線領域としての内側配線領域Ｉａにおいて、当該内側配線領域Ｉａでの配線長が順次短くなる、少なくとも第１〜第３の配線群Ａ〜Ｃの３種類の配線群のいずれかに属するように配線される。
【０２８０】
なお、ここで液晶表示装置１の上記端子辺の額縁縮小を必ずしも目的としない場合に言及しておく。この場合では、例えば第２の配線群Ｂ及び第３の配線群Ｃの２種類の配線群のみで構成されたビデオ信号線となる。すなわち図２３において第１の配線群Ａが無い構成である。
【０２８１】
このような場合であっても、第１の配線部１７ａと第２の配線部１７ｂを接続する内側接続部１７ｃは一様に配置されるのではなく、第２の配線群Ｂと第３の配線群Ｃのそれぞれに応じて適切に配置されていることはこれまで説明した実施の構成と同一である。つまり長い配線側から配線群を平面視した場合に、第２の配線部Ｂにおいては、内側接続部１７ｃはマトリクス領域Ｈに徐々に近づくように配列する。また第３の配線部Ｃにおいては、内側接続部１７ｃはマトリクス領域Ｈから徐々に離れるように配列する。
【０２８２】
さて、図２３の構成から第１の配線群Ａを単純欠いた構成の場合では、第２の配線群Ｂの配線の屈曲点がドライバＩＣ１００から離れた構成となる都合上、第２の配線群ＢとドライバＩＣ１００との間に空き領域が生じる。この空き領域は他の用途例えばマーク等の配置や他の電極の配置のための領域として利用することができる。当業者の目的を満足させることができるのであれば、本発明の配線を、端子辺の額縁の直接の縮小ではなく、空き領域を生じせしめるために適用することができる。なおマーク等の配置のための領域を新たに必要としない点に着目すると、本構成であっても端子辺の額縁の増大を防ぐ効果を奏しており間接的には端子辺の額縁の縮小に寄与する。
【０２８３】
また、上記の空き領域を縮小させて検査及び保護回路１５とドライバＩＣ１００を接近させた場合は、配線群全体が再構成されることになる。その結果、第１の配線群Ａ、第２の配線群Ｂ、第３の配線群Ｃの３種類を有する構成となりこれは即ち図２３の構成となる。
【０２８４】
以上の構成により、本変形例４では、上記第１の実施形態と同様な作用・効果を奏することができる。
【０２８５】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【０２８６】
例えば、上記の説明では、本発明を透過型の液晶表示装置に適用した場合について説明したが、本発明のアクティブマトリクス基板はこれに限定されるものではなく、複数の画素を有する表示領域と、画素を駆動するための信号を伝達する配線を有するあらゆる表示装置に対して本発明のアクティブマトリクス基板を適用することができる。例えば、ＥＬディスプレイ、プラズマディスプレイ、電子インクペーパー、又は、マイクロカプセル型電気泳動方式の表示装置その他表示装置に本発明を適応することができる。マイクロカプセル型電気泳動方式の表示装置は、例えば、表示領域に形成されたマイクロカプセル層に画素ごとに電圧を印加することで、画像を表示する構成とすることができる。表示装置は、例えば、画素ごとに設けられた画素電極にスイッチング素子を介して接続された表示領域の配線と、表示領域の配線に接続された引き出し線を備える基板を備える構成とすることができ、この基板を例えば、上記実施形態におけるアクティブマトリクス基板のように構成することができる。また、このような表示装置以外に、本発明のアクティブマトリクス基板は、例えばＸ線検出装置用のセンサー基板等の各種センサー基板に適用することができる。
【０２８７】
また、上記の説明では、複数の各ビデオ信号線（信号線）が、第１及び第２の配線部と内側接続部を有する内側配線部と、外側接続部を介して第２の配線部に接続されるとともに、端子に接続される外側配線を有する外側配線部を備えた構成について説明した。しかしながら、本発明はこれに限定されるものではなく、複数の各信号線が、上記マトリクス領域と上記端子領域との間で、当該マトリクス領域から端子領域に向かう方向で配線ピッチが小さくなるように設定された配線領域（つまり、扇状に絞り込まれるように引き回された配線領域）に対して配線されるとともに、第１及び第２の配線部とこれら第１及び第２の配線部を接続する接続部を有し、第２の配線部が端子に接続される構成を備えたものであれば何等限定されない。
【０２８８】
また、上記の説明では、複数の各ビデオ信号線では、第１及び第２の配線部の長さが互いに等しくなるように、内側接続部の位置を定めた場合について説明したが、本発明はこれに限定されるものではなく、複数の各信号線において、その信号線の配線領域での配線位置に応じて、当該信号線の接続部の位置が定められているものであればよい。すなわち、配線ピッチが小さくなるように配線された複数の信号線において、シート抵抗が異なる２つの導電層を用いた場合でも、隣接する２本の信号線での抵抗変化が小さくなるものであればよく、好適には、本発明のアクティブマトリクス基板を、例えば表示装置に適用した場合に、表示ムラが視認されない状態となるように、隣接する２本の信号線での抵抗変化が小さいものであればよい。
【０２８９】
但し、上記の実施形態のように、複数の各信号線において、第１及び第２の配線部の長さが互いに等しくなるように、接続部の位置を定める場合の方が、複数の信号線において、隣接する２本の信号線での抵抗を同じとすることができる点で好ましい。
【０２９０】
また、上記の説明では、複数の各信号線がデータ配線に接続されるビデオ信号である場合について説明したが、本発明はこれに限定されるものではなく、ゲート配線（走査配線）に接続される信号線であってもよい。
【０２９１】
但し、上記実施形態のように、ビデオ信号線である場合の方が、当該ビデオ信号線に接続されるデータドライバの小型化及びそのアクティブマトリクス基板を用いた表示装置の低消費電力化を容易に図ることができる点で好ましい。
【０２９２】
また、上記の説明では、ドライバＩＣによって構成したデータドライバと、アクティブマトリクス基板の基材上にモノリシックに形成したゲートドライバを用いた構成について説明したが、本発明はこれに限定されるものではなく、例えばデータドライバとゲートドライバを一体的に構成したドライバＩＣ（ドライバチップ）を用いたり、データドライバとゲートドライバとの各々を互いに異なるドライバＩＣによって構成したりしてもよい。
【０２９３】
また、上記の説明では、第１の配線部が、データ配線及び走査配線の一方と同じ導電層により構成され、第２の配線部が、データ配線及び走査配線の他方と同じ導電層により構成されている場合について説明した。しかしながら、本発明はこれに限定されるものではなく、第１及び第２の配線部の各々が、データ配線または走査配線と異なる導電層によって構成されてもよい。
【０２９４】
但し、上記の各実施形態のように、第１の配線部が、データ配線及び走査配線の一方と同じ導電層により構成され、第２の配線部が、データ配線及び走査配線の他方と同じ導電層により構成されている場合の方が、アクティブマトリクス基板の製造工程が増加するのを防ぐことができる点で好ましい。
【産業上の利用可能性】
【０２９５】
本発明は、配線ピッチが小さくなるように配線された複数の信号線において、シート抵抗が異なる２つの導電層を用いた場合でも、隣接する２本の信号線での抵抗変化が小さいアクティブマトリクス基板、及びこれを用いた表示装置に対して有用である。
【符号の説明】
【０２９６】
１  液晶表示装置（表示装置）
２  アクティブマトリクス基板
７  薄膜トランジスタ
８  画素電極
１７  ビデオ信号線（信号線）
１７ａ  第１の配線部
１７ｂ  第２の配線部
１７ｃ  内側接続部（接続部）
１７ｄ  外側接続部
１７ｄｄ  （ダミーの）外側接続部
１７ｅ  外側配線
Ａ、Ａｙ、Ａ’ｙ  第１の配線群
Ｂ、Ｂｙ、Ｂ’ｙ  第２の配線群
Ｃ、Ｃｙ、Ｃ’ｙ  第３の配線群
Ｄ、Ｄ１〜ＤＭ  データ配線（ソース配線）
Ｇ、Ｇ１〜ＧＮ  ゲート配線（走査配線）
Ｐ  画素
Ｈ  マトリクス領域（有効表示領域）
Ｔ  端子
Ｔａ  端子領域
【図１】
0005952920.tif 000002
【図２】
0005952920.tif 000003
【図３】
0005952920.tif 000004
【図４】
0005952920.tif 000005
【図５】
0005952920.tif 000006
【図６】
0005952920.tif 000007
【図７】
0005952920.tif 000008
【図８】
0005952920.tif 000009
【図９】
0005952920.tif 000010
【図１０】
0005952920.tif 000011
【図１１】
0005952920.tif 000012
【図１２】
0005952920.tif 000013
【図１３】
0005952920.tif 000014
【図１４】
0005952920.tif 000015
【図１５】
0005952920.tif 000016
【図１６】
0005952920.tif 000017
【図１７】
0005952920.tif 000018
【図１８】
0005952920.tif 000019
【図１９】
0005952920.tif 000020
【図２０】
0005952920.tif 000021
【図２１】
0005952920.tif 000022
【図２２】
0005952920.tif 000023
【図２３】
0005952920.tif 000024